(57)【要約】  レンズを、レンズ本体と、レンズ本体に取り付けられ、少なくとも一部がレンズ本体の外縁部に露出した内部電極と、を有し、レンズ本体の外縁部において、内部電極が露出した露出部を含む第１の領域の形状と、露出部を含まない第２の領域の形状とが異なるように構成する。これにより、フレームに容易に取付けることができるレンズを提供する。
2018123195.tif 000002
【特許請求の範囲】
【請求項１】
レンズ本体と、
前記レンズ本体に取り付けられ、少なくとも一部が前記レンズ本体の外縁部に露出した内部電極と、
を有し、
前記レンズ本体の外縁部において、前記内部電極が露出した露出部を含む第１の領域の形状と、前記露出部を含まない第２の領域の形状とが異なる形状とされたレンズ。
【請求項２】
前記第１の領域の形状は、先端が平面であり、前記内部電極の端部は前記平面に露出している請求項１に記載のレンズ。
【請求項３】
前記第２の領域の形状は、先端が尖った形状である請求項１に記載のレンズ。
【請求項４】
前記第２の領域の形状は、先端に溝部を有する形状である、請求項１に記載のレンズ。
【請求項５】
前記レンズ本体を厚さ方向に沿って切断した断面視で、前記第１の領域における前記レンズ本体の端部の厚みは、前記第２の領域における前記レンズ本体の端部の厚みよりも厚い請求項１に記載のレンズ。
【請求項６】
前記第１の領域は、先端に前記平面を含む凸形状であり、前記第２の領域の形状は、Ｖ字形状である請求項２に記載のレンズ。
【請求項７】
前記レンズ本体の上側の外縁部は前記第１の領域であり、前記レンズ本体の下側の外縁部は前記第２の領域であり、前記第１の領域および前記第２の領域の境界は、前記レンズ本体の左右側にそれぞれ位置する請求項１〜請求項６のいずれか１項に記載のレンズ。
【請求項８】
前記第１の領域および前記第２の領域の境界は、前記レンズ本体がアイウェアのフレームに保持された状態で、前記フレームのブリッジまたはテンプルよりも下方向に位置する請求項７に記載のレンズ。
【請求項９】
前記レンズ本体はフレームに保持され、前記内部電極は前記レンズ本体に埋設され、前記フレームに設けられた外部電極と電気的に接触し、
前記第１の領域は、前記露出部が前記外部電極に接触した状態でフレームに係止される第１係止部であり、
前記第２の領域は、前記第１の領域に接続され前記フレームに係止される第２係止部である請求項１〜請求項８のいずれか１項に記載のレンズ。
【請求項１０】
前記レンズ本体を厚さ方向に沿って切断した断面視で、前記第１の領域において少なくとも前記露出部の厚み寸法が、前記レンズ本体の中央部分の厚み寸法と異なる請求項１に記載のレンズ。
【請求項１１】
前記レンズ本体を厚さ方向に沿って切断した断面視で、前記第１の領域において少なくとも前記露出部の厚み寸法が、前記レンズ本体の中央部分の厚み寸法よりも薄肉に設定されている請求項１０に記載のレンズ。
【請求項１２】
請求項１〜請求項１１のいずれか１項に記載のレンズと、
前記レンズが保持されるレンズ保持部を有し、使用者に装着されるフレームと、
前記レンズ保持部と前記レンズとの間に配置された外部電極と、
を備えたアイウェア。
【請求項１３】
前記露出部と前記外部電極の間には、導電性ラバーが配置される請求項１２に記載のアイウェア。
【発明の詳細な説明】
【技術分野】
【０００１】
本発明は、レンズおよびアイウェアに関する。
【背景技術】
【０００２】
特許文献１および特許文献２には、アイウェアのレンズが開示されている。このようなレンズは、レンズに設けられた内部電極への通電に基づいて、レンズの一部の領域の焦点距離を他の領域の焦点距離に対して変更できる。これにより、上述のようなレンズを備えたアイウェアの使用者は、使用者の近くに配置された物を上記一部の領域を通じて良好に視認できる（つまり、拡大した状態で視認できる）。
【先行技術文献】
【特許文献】
【０００３】
【特許文献１】特表２０１１−５１６９２７号公報
【特許文献２】特開２０１６−１２６１４５号公報
【発明の概要】
【発明が解決しようとする課題】
【０００４】
ところで、上述のようなレンズをアイウェアのフレームに取付ける場合、レンズの内部電極と外部電極とを直接又は間接的に安定して接続できるように配置した状態で、レンズをフレームに容易に取付けられることが望ましい。【０００５】
本発明の目的は、フレームに容易に取付けられるレンズおよび当該レンズを有するアイウェアを提供することである。
【課題を解決するための手段】
【０００６】
本発明に係るレンズは、レンズ本体と、レンズ本体に取り付けられ、少なくとも一部がレンズ本体の外縁部に露出した内部電極と、を有し、レンズ本体の外縁部において、内部電極が露出した露出部を含む第１の領域の形状と、露出部を含まない第２の領域の形状とが異なる形状である。
【発明の効果】
【０００７】
本発明に係るレンズは、フレームに容易に取付けることができる、という優れた効果を有する。また、本発明に係るアイウェアは、レンズをフレームに容易に取付けることができる、という優れた効果を有する。
【図面の簡単な説明】
【０００８】
【図１】図１は、本発明に係る実施形態１の電子眼鏡を分解して示す分解斜視図である。
【図２】図２は、本発明に係る実施形態１の電子眼鏡を示す正面図である。
【図３】図３は、可撓ケーブルおよび導電性ラバーを示す斜視図である。
【図４】図４は、レンズブランクから切り出されたレンズを示す正面図である。
【図５】図５は、レンズを示す正面図である。
【図６】図６は、図５のＡ−Ａ断面図である。
【図７】図７は、図５のＢ−Ｂ断面図である。
【図８】図８は、レンズの第２係止部の変形例１を示す図７に対応する断面図である。
【図９】図９は、レンズの第１係止部の変形例１を示す図６に対応する断面図である。
【図１０】図１０は、レンズの第１係止部の変形例２を示す図６に対応する断面図である。
【図１１】図１１は、本発明に係る実施形態２の電子眼鏡の正面図である。
【図１２Ａ】図１２Ａは、実施形態２に係る第２係止部の断面模式図である。
【図１２Ｂ】図１２Ｂは、実施形態２に係る第２係止部の変形例１の断面模式図である。
【図１２Ｃ】図１２Ｃは、実施形態２に係る第２係止部の変形例２の断面模式図である。
【図１２Ｄ】図１２Ｄは、実施形態２に係る第２係止部の変形例３の断面模式図である。
【図１２Ｅ】図１２Ｅは、実施形態２に係る第２係止部の変形例４の断面模式図である。
【図１３】図１３は、本発明に係る実施形態３の電子眼鏡を分解して示す分解斜視図である。
【図１４】図１４は、本発明に係る実施形態３の電子眼鏡を示す正面図である。
【図１５】図１５は、実施形態３に係るレンズおよびレンズブランクを示す正面図である。
【図１６】図１６は、電子眼鏡を装着した使用者の視線を説明するための説明図である。
【図１７】図１７は、実施形態３の変形例１に係るレンズおよびレンズブランクを示す正面図である。
【図１８】図１８は、実施形態３の変形例２に係るレンズのレンズブランクを示す正面図である。
【図１９】図１９は、本発明の実施形態４に係る電子メガネの構成の一例を示す斜視図である。
【図２０】図２０は、本発明の実施形態４に係る電子メガネの内部回路を示すブロック図である。
【図２１】図２１は、レンズの構成の一例を模式的に示す断面模式図である。
【図２２Ａ】図２２Ａは、レンズの一部の構成の一例を示す組立図である。
【図２２Ｂ】図２２Ｂは、図２２Ａとは反対方向から見た組立図である。
【図２３】図２３は、レンズブランクの構成の一例を示す平面図である。
【図２４Ａ】図２４Ａは、実施形態４の変形例１に係るレンズブランクの構成の一例を示す平面図である。
【図２４Ｂ】図２４Ｂは、実施形態４の変形例２に係るレンズブランクの構成の一例を示す平面図である。
【図２４Ｃ】図２４Ｃは、実施形態４の変形例３に係るレンズブランクの構成の一例を示す平面図である。
【図２４Ｄ】図２４Ｄは、実施形態４の変形例４に係るレンズブランクの構成の一例を示す平面図である。
【発明を実施するための形態】
【０００９】
［実施形態１］
図１〜図７を用いて本発明の実施形態１に係るアイウェアとしての電子眼鏡について説明する。なお、各図において適宜示す矢印ＦＲは電子眼鏡１０を装着した使用者から見た前側を、矢印ＵＰは上側を、矢印ＲＨは右側を、ＬＨは左側を、それぞれ示す。また、以下の説明で特記なく前後、上下、および左右の方向を用いる場合は、電子眼鏡の使用者から見た前後、上下、および左右を示す。
【００１０】
また、以下のレンズ１２、１４およびレンズ１２、１４を構成する各部材の説明において、「厚さ方向」は電子眼鏡１０の前後方向に、「幅方向」は電子眼鏡１０の左右方向に、それぞれ対応する。また、単に「法線方向」といった場合には、前後方向からの平面視（図５に示す状態）におけるレンズ１２、１４の外形（図５の実線β参照）についての法線方向をいう。法線方向における一方は、レンズ１２、１４の中央部から遠ざかる方向である。一方、法線方向における他方は、レンズ１２、１４の中央部に近づく方向である。
【００１１】
なお、以下実施形態においては、アイウェアの一例として眼鏡を例示するが、アイウェアは、これに限らない。本発明は、ユーザの頭部、耳あるいは眼付近に装着されるアイウェアであればよい。アイウェアには、例えば、レンズのようなユーザの視力向上のための補助機構を有するいわゆる眼鏡（電子眼鏡を含む）や、ユーザの視界あるいは眼に対して情報提示を行う機構を有する種々のデバイス（例えば、眼鏡型ウェアラブル端末、ヘッドマウントディスプレイ等）が含まれる。
【００１２】
図１および図２に示すように、本実施形態の電子眼鏡１０は、使用者のスイッチ操作により左右のレンズ１２、１４の一部の焦点距離（度数）を変更できる。具体的には、電子眼鏡１０は、使用者に装着されるフレーム１６と、フレーム１６に保持された左右一対のレンズ１２、１４と、レンズ１２、１４に設けられた液晶１８を駆動させる液晶駆動部２０と、を備える。
【００１３】
フレーム１６は、右側リム２２、左側リム２４、およびブリッジ２６を有する。右側リム２２および左側リム２４はそれぞれ、右側のレンズ１４および左側のレンズ１２を保持する。右側リム２２および左側リム２４はそれぞれ、正面視で（電子眼鏡１０の使用者の前方側から見て）環状である。
【００１４】
ブリッジ２６は、右側リム２２と左側リム２４とを左右方向につなぐ。また、フレーム１６は、右側リム２２および左側リム２４においてブリッジ２６と隣接する部分に、使用者の鼻に係止されるパッド部２８を有する。
【００１５】
フレーム１６は、右側リム２２の右側の端部に傾動可能に取付けられた右側テンプル３０（テンプルともいう。）と、左側リム２４の左側の端部に傾動可能に取付けられた左側テンプル３２（テンプルともいう。）と、を備える。
【００１６】
図１に示すように、右側テンプル３０は、右側テンプル本体３４および蓋部３８を有する。右側テンプル本体３４は、使用者側（幅方向における内側ともいう。）が開放された溝部３６を有する。蓋部３８は、右側テンプル本体３４に取付けられることで溝部３６を閉止する。なお、右側テンプル３０および左側テンプル３２は、電子眼鏡１０が使用者に装着される際に、使用者の頭部および左右の耳に係止される。
【００１７】
液晶駆動部２０は、後述するレンズ１２、１４に設けられた液晶１８の配列を変更する。液晶駆動部２０は、制御モジュール４０、可撓ケーブル４２、バッテリー４４、およびスイッチ４６を有する。可撓ケーブル４２、バッテリー４４、およびスイッチ４６はそれぞれ、制御モジュール４０に接続される。
【００１８】
制御モジュール４０は、右側テンプル本体３４の溝部３６に配置される。制御モジュール４０は、右側テンプル本体３４に蓋部３８が取付けられた状態において、使用者側へ露出しない。スイッチ４６は、右側テンプル本体３４における使用者とは反対側（幅方向における外側であって、溝部３６が形成された側とは反対側）に固定される。
【００１９】
なお、本実施形態のスイッチ４６は、使用者が触れることでスイッチ操作可能な静電容量タッチスイッチである。また、バッテリー４４は、右側テンプル３０の後端部に着脱可能に取付けられる。
【００２０】
図１および図３に示すように、可撓ケーブル４２は、右側テンプル３０内に配置された制御モジュール４０から、右側リム２２の上方側の部位、ブリッジ２６、および左側リム２４の上方側の部位にかけて配索される。
【００２１】
そして、右側のレンズ１４および左側のレンズ１２はそれぞれ、右側リム２２および左側リム２４に固定される（はめ込まれる）。この状態において、可撓ケーブル４２と内部電極４８、５０（図４参照）とが、導電性ラバー７２を通じて電気的に接続される。導電性ラバー７２は、導電性の材料からなり、かつ粘弾性を有する。
【００２２】
なお、導電性ラバー７２は、可撓ケーブル４２の一部を構成する。レンズ１２の内部には、ＦＲの矢印の方向について液晶１８を挟むように一対の導電膜（図示しない）が配置される。
【００２３】
内部電極４８および内部電極５０はそれぞれ、一対の導電膜の一方および他方に電気的に接続される。内部電極４８、５０に対して電圧が印加されると一対の導電膜間に電圧が印加される。導電膜間の電圧印加によって生じる電界により、液晶１８の配向が制御される。例えば、液晶１８としてコレステリック液晶を採用した場合には、内部電極４８、５０間の電圧を制御することで液晶１８の屈折率が制御される。
【００２４】
次に、本実施形態の要部であるレンズ１２、１４について説明する。なお、右側のレンズ１４と左側のレンズ１２とは、左右対称に形成される。このため、以下、左側のレンズ１２について説明し、右側のレンズ１４については左側のレンズ１２の各部と同一の符号を付してその説明を省略する。
【００２５】
図４に示すように、レンズ１２は、正面視で外縁が円形状のレンズブランク５２を所定の形状に加工することにより得られる。
【００２６】
図４に示すように、レンズブランク５２は、厚さ方向に重ね合わせて接合された前面レンズ５４および回折部付レンズ５６を有するブランク本体５８を備える。前面レンズ５４および回折部付レンズ５６はそれぞれ、前方側へ凸状となるように緩やかに湾曲する。
【００２７】
また、前面レンズ５４と、回折部付レンズ５６において後述する回折部６０が設けられた部分を除く部分とは、図示しない接着層を介して接合される。なお、この接着層内には、前述の内部電極４８、５０が埋設される。
【００２８】
回折部付レンズ５６は、一部に、フレネルレンズ部としての回折部６０を有する。回折部６０は、前面レンズ５４側（前面側）が鋸刃状の断面である所謂フレネルレンズの構成を有する。
【００２９】
また、回折部付レンズ５６の回折部６０と前面レンズ５４との間には、液晶１８が介装される。液晶１８（屈折率変更層ともいう。）は、電圧の印加により電界が生じることで屈折率が変わる。
【００３０】
図５に示すように、レンズ１２は、レンズブランク５２が左側リム２４（図１参照）と対応する形状に加工されることにより形成される。なお、レンズ１２のレンズ本体６８の構成は、レンズブランク５２のブランク本体５８の構成と対応する。
【００３１】
ここで、本実施形態のレンズ１２では、左側リム２４に係止される部分の形状（つまり、外縁部の形状）が、図５に示された一点鎖線Ｌを境目として異なる。
【００３２】
なお、レンズ１２において、一点鎖線Ｌよりも上方側で左側リム２４に係止される部分が、第１係止部７４（第１の領域ともいう）である。一方、レンズ１２において、一点鎖線Ｌよりも下方側で左側リム２４に係止される部分が、第２係止部７６（第２の領域ともいう）である。つまり、一点鎖線Ｌが、第１係止部７４と第２係止部７６との境界位置を示す。
【００３３】
図６には、レンズ本体６８をその厚さ方向に沿って（換言すれば、法線方向および厚さ方向に平行な仮想面で）切断した場合の第１係止部７４の断面（内部電極４８が設けられた部分の断面）が示される。
【００３４】
図６に示すように、第１係止部７４は、レンズ本体６８の厚さ方向（図６の左右方向）の中央部に、レンズ本体６８の厚さ方向と直交する方向でかつレンズ本体６８と離間する方向（矢印α方向）に突出した凸状部７８（露出部ともいう。）を有する。
【００３５】
換言すれば、第１係止部７４の厚さ方向における中央部は、第１係止部７４の厚さ方向における両端部（図６の右端部および左端部）よりも、法線方向における一方に突出する。具体的には、第１係止部７４は、厚さ方向における中央部に、法線方向における一方に突出する凸状部７８を有する。
【００３６】
なお、凸状部７８は、レンズ本体６８の外周部における前方側の部分および後方側の部分に一対の段差部８０が設けられることにより形成される。換言すれば、凸状部７８は、レンズ本体６８の外周部の厚み寸法を、レンズ本体６８の中央部分の厚み寸法よりも小さく設定することにより形成される。
【００３７】
また、凸状部７８は、レンズ本体６８の外縁（前後方向からの平面視における外形）に沿うように、第１係止部７４の全長にわたり連続する。ただし、凸状部７８は、第１係止部７４において、不連続な部分を有してもよい。
【００３８】
また、凸状部７８の突出方向の先端面７８Ａは、平面状である。先端面７８Ａには、内部電極４８の端部が露出する。なお、第１係止部７４における内部電極５０（図５参照）が設けられた部分においても、内部電極５０の端部が、凸状部７８の先端面７８Ａに露出する。また、先端面７８Ａは、完全な平面である必要はなく、略平らな形状でもよい。
【００３９】
図７には、レンズ本体６８をその厚さ方向に沿って（換言すれば、法線方向および厚さ方向に平行な仮想面で）切断した場合の第２係止部７６の断面が示される。図７に示すように、第２係止部７６は、レンズ本体６８の厚さ方向と直交する方向でかつレンズ本体６８と離間する方向（矢印α方向）に向かうにつれて次第に窄まる。
【００４０】
換言すれば、第２係止部７６は、法線方向における一方（図７の下方）に向かうほど、厚さ方向における寸法が小さくなる（つまり、窄まる）。これにより、第２係止部７６がＶヤゲン形状とされる。
【００４１】
なお、第２係止部７６の前面である傾斜面を前側傾斜面７６Ａという。一方、第２係止部７６の後面である傾斜面を後側傾斜面７６Ｂという。ここで、「ヤゲン」とは、レンズ１２、１４をアイウェア（本実施形態では電子眼鏡１０）のフレーム１６に対して取り付けるために、レンズ本体６８の外周を加工した部分である。
【００４２】
また、「Ｖヤゲン形状」とは、Ｖ字状の先端形状を有するヤゲンである。Ｖ字状の先端形状とは、鋭角の先端形状ということもできるが、必ずしも完全な鋭角である必要はなく、鋭角に近い形状であれば良い。Ｖ字状の先端形状は、先細り形状または三角形状の先端形状を有してもよい。
【００４３】
以上のように、本実施形態の場合、第１係止部７４と第２係止部７６とは、法線方向および厚さ方向に平行な仮想面で切断した場合の断面形状（つまり、図６および図７に示す形状）において異なる。換言すれば、第１係止部７４と第２係止部７６とは、上記断面形状における外形において異なる。なお、当該外形には、第１係止部７４において外部に露出する内部電極４８の外形を含んでもよい。
【００４４】
図６および図７に示すように、第１係止部７４および第２係止部７６はそれぞれ、左側リム２４の内周部に形成された係止溝８２に係止される。なお、左側リム２４の係止溝８２において第１係止部７４が係止される部分は、第１係止部７４と対応する形状を有する。また、係止溝８２において第２係止部７６が係止される部分は、第２係止部７６と対応する形状を有する。
【００４５】
また、本実施形態の場合、レンズ１２が左側リム２４に保持された状態で、第１係止部７４と第２係止部７６との境界である一点鎖線Ｌ（図５参照）が、ブリッジ２６または右側テンプル３０および左側テンプル３２（図２参照）よりも下方側に配置される。換言すれば、本実施形態の場合、Ｖヤゲン形状とされた第２係止部７６が、可撓ケーブル４２（図１参照）と対向する部分に配置されない。
【００４６】
つまり、レンズ１２の外周部のうち、少なくとも内部電極４８、５０の端部が露出するレンズ上側の領域は、凸状部７８を有する。なお、レンズ上側および左右側のうち、ブリッジ２６または右側テンプル３０および左側テンプル３２よりも上方向に位置する領域が、凸状部７８を有するのが好ましい。
【００４７】
一方で、レンズ１２の外周部のうち、少なくともレンズ下側の領域は、Ｖヤゲン形状である。なお、レンズ下側および左右側のうち、ブリッジ２６または右側テンプル３０および左側テンプル３２よりも下方向に位置する領域が、Ｖヤゲン形状であるのが好ましい。
【００４８】
なお、図６に示すように、第１係止部７４は、少なくとも略平面状の先端面７８Ａを有する凸状部７８と、凸状部７８の前方側の部分および後方側の部分に設けられた段差部８０と、を有すればよい。
【００４９】
したがって、先端面７８Ａおよび段差部８０を接続する凸状部７８の側面は、図示したような平面に限らず、曲面であってもよい。また、凸状部７８の側面と先端面７８Ａとの接続角度、および凸状部７８の側面と段差部８０との接続角度は、必ずしも直角でなくてもよい。また凸状部７８は、矩形状と表現することもできる。
【００５０】
ここで、レンズ１２の外周部において、少なくとも内部電極４８、５０の端部が露出した領域を含む領域は、図６に示すように、凸状部７８を有する。そして、平面状である凸状部７８の先端面７８Ａに、内部電極４８、５０の端部が露出する。一方で、内部電極４８、５０の端部が露出しない領域は、図７に示すように、Ｖヤゲン形状を有する。
【００５１】
このような構成により、内部電極４８、５０の端部が露出した領域では、内部電極４８、５０の端部が、レンズ１２の外周部における略平面状の領域（つまり、先端面７８Ａ）で露出される。この結果、当該領域における外部電極（可撓ケーブル４２）との接触性が向上する。一方、内部電極４８、５０の端部が露出しない領域では、レンズ１２の外周部がＶヤゲン形状を有するため、電子眼鏡１０等のフレームへの組み込みが容易となる。
【００５２】
つまり、レンズ１２の外周部において、少なくとも内部電極４８、５０の端部が露出した領域を含む領域は、少なくとも外周部に平面状の部分を有する。一方、内部電極４８、５０の端部が露出しない領域は、外周部に尖った形状の部分を有する。
【００５３】
換言すれば、レンズ１２の外周部において、内部電極４８、５０の端部が露出した領域を含む領域は、内部電極４８、５０の端部が露出しない領域よりも、外周部の平面の領域（具体的には、外周部におけるレンズ１２の厚み）が大きい。
【００５４】
逆にいえば、レンズ１２の外周部において、内部電極４８、５０の端部が露出しない領域は、内部電極４８、５０の端部が露出した領域を含む領域よりも、外周部の平面の領域（具体的には、外周部におけるレンズ１２の厚みが）が小さい。
【００５５】
（本実施形態の作用並びに効果）
次に、本実施形態の作用並びに効果について説明する。
【００５６】
使用者が、図１および図２に示す電子眼鏡１０を装着し、かつ、スイッチ４６を操作していない状態において、液晶１８には、電圧は印加されない。ここで、電圧が印加されていない状態の液晶１８の屈折率は、前面レンズ５４および回折部付レンズ５６と略同一である。従って、左右のレンズ１２、１４において回折部６０が設けられた部分の度数は、左右のレンズ１２、１４における回折部６０以外の部分の度数と略同一である。
【００５７】
また、電子眼鏡１０の使用者によるスイッチ４６の操作に応じて液晶１８に電圧が印加されると、液晶１８の配列が変更されて、液晶１８の屈折率が変化する。これにより、左右のレンズ１２、１４において回折部６０が設けられた部分の度数が、左右のレンズ１２、１４において回折部６０以外の部分の度数に比べて高くなる。換言すれば、回折部６０が設けられた部分の焦点距離が、左右のレンズ１２、１４において回折部６０以外の部分の焦点距離に比べて短くなる。
【００５８】
図５〜図７に示すように、本実施形態の電子眼鏡１０の場合、左側のレンズ１２は、レンズ本体６８の第１係止部７４および第２係止部７６が、フレーム１６における左側リム２４の係止溝８２に係止されることにより、フレーム１６に取付けられる。
【００５９】
また、右側のレンズ１４（図２参照）についても同様に、レンズ本体６８の第１係止部７４および第２係止部７６が、フレーム１６における右側リム２２の係止溝８２に係止されることにより、フレーム１６に取付けられる。
【００６０】
ここで、図６および図７に示すように、本実施形態では、レンズ１２、１４のレンズ本体６８における第１係止部７４の形状と第２係止部７６の形状とが異なる。すなわち、図６に示すように、第１係止部７４は、内部電極４８、５０と導電性ラバー７２との接触状態が安定する形状である。
【００６１】
一方、図７に示すように、第２係止部７６は、フレーム１６におけるリム（右側リム２２および左側リム２４）の係止溝８２に係止し易い形状である。詳述すると、図６に示すように、第１係止部７４における凸状部７８の先端面７８Ａは、平面状である。このような構成は、内部電極４８、５０が露出する部分において、内部電極４８、５０と導電性ラバー７２とを安定して接触させられる。
【００６２】
また、図７に示すように、第２係止部７６は、第２係止部７６の前側傾斜面７６Ａ又は後側傾斜面７６Ｂをフレーム１６のリム（右側リム２２および左側リム２４）に押し当てて摺動させることにより、リム（右側リム２２および左側リム２４）の係止溝８２に係止される。以上のように、本実施形態によれば、内部電極４８、５０と導電性ラバー７２との接触状態を確保しつつ、レンズ１２、１４をフレーム１６に取付けられる。
【００６３】
また、本実施形態では、内部電極４８、５０の端部が、凸状部７８の先端面７８Ａに露出するため、内部電極４８、５０の端部と導電性ラバー７２との接触圧力を高くできる。このような構成は、内部電極４８、５０の端部と導電性ラバー７２との間における接触不良の抑制に効果的である。
【００６４】
さらに、本実施形態では、第２係止部７６が、前側傾斜面７６Ａおよび後側傾斜面７６Ｂを有するＶヤゲン形状である。このような構成は、レンズ１２、１４をフレーム１６のリム（右側リム２２および左側リム２４）から取り外す際の作業性を良好にできる。
【００６５】
また、本実施形態では、Ｖヤゲン形状である第２係止部７６が、可撓ケーブル４２と対向して配置されない。このような構成は、第２係止部７６の先端によって可撓ケーブル４２が損傷することの抑制に効果的である。
【００６６】
なお、本実施形態では、環状のリム（右側リム２２および左側リム２４）を有するフレーム１６に取付けられるレンズ１２、１４に本発明を適用した例について説明したが、本発明の適用対象はこれに限定されない。
【００６７】
例えば、後述する実施形態２のように、レンズ１２、１４の上部のみにリムを有するフレームに取付けられるレンズ１２、１４にも適用できる。図８は、第２係止部の変形例１を示す第２係止部７６ａの部分断面図である。第２係止部７６ａは、両端がフレーム１６に固定されたワイヤ８３が係止される溝状のワイヤ係止溝８４を有する。なお、ワイヤ８３は、フレーム１６の一部を構成する。
【００６８】
また、本実施形態では、内部電極４８、５０の端部と導電性ラバー７２との接触圧力を高めるために、第１係止部７４に凸状部７８を形成した例について説明したが、本発明はこれに限定されない。
【００６９】
図９は、第１係止部の変形例１を示す第１係止部７４ａの部分断面図である。第１係止部７４ａは、レンズ１２の外周部に、導電性ラバー７２が配置される溝状のラバー配置溝８６（露出部ともいう。）を有する。
【００７０】
このような構成を採用する場合には、ラバー配置溝８６内において導電性ラバー７２が圧縮されるように設定することにより、内部電極４８、５０の端部と導電性ラバー７２との接触圧力を高めてもよい。
【００７１】
また、図６に示すように、本実施形態では、レンズ本体６８の外周部における前方側の部分および後方側の部分に同じ高さの段差部８０が設けられることにより第１係止部７４に凸状部７８を形成した例について説明したが、本発明はこれに限定されない。
【００７２】
図１０は、第１係止部の変形例２を示す、第１係止部７４ｂの部分断面図である。第１係止部７４ｂの場合、レンズ本体６８の外周部における前方側の部分に形成された段差部８０の高さＨ１が、後方側の部分に形成された段差部８０の高さＨ２よりも低い。
【００７３】
このような構成によれば、レンズ本体６８の上部前面側においてリム（フレーム１６の右側リム２２および左側リム２４）との間に形成される隙間を小さくできる。なお、一例として、レンズ本体６８の外周部における前方側に形成された段差部８０の高さＨ１と後方側に形成された段差部８０の高さＨ２との差Ｈ３は０．２ｍｍ程度である。ただし、差Ｈ３は、これより大きくてもよい。
【００７４】
［本実施形態のまとめ］
上述の実施形態１に係るレンズ、および当該レンズを有するアイウェアには、以下の各態様が含まれる。
【００７５】
［第１態様］
上述の実施形態１に係るレンズの第１態様は、レンズ本体と、レンズ本体に取り付けられ、少なくとも一部がレンズ本体の外縁部に露出した内部電極と、を有し、レンズ本体の外縁部において、内部電極が露出した露出部を含む第１の領域の形状と、露出部を含まない第２の領域の形状とが異なる形状である。
【００７６】
［第２態様］
第２態様に係るレンズは、上記第１態様に係るレンズであって、第１の領域の形状が、先端が平面であり、内部電極の端部が当該平面に露出している。
【００７７】
上記第２態様に係るレンズによれば、外部電極と内部電極との接触状態を良好にできる。
【００７８】
［第３態様］
第３態様に係るレンズは、上記第１態様に係るレンズであって、第２の領域の形状が、先端が尖った形状である。
【００７９】
上記第３態様に係るレンズによれば、レンズ本体の第２の領域をフレームに係止させ易くできる。
【００８０】
［第４態様］
第４態様に係るレンズは、上記第１態様に係るレンズであって、第２の領域の形状が、先端に溝部を有する形状である。
【００８１】
上記第４態様に係るレンズによれば、レンズ本体の第２の領域の先端に溝部を形成することにより、当該溝部にワイヤを係止できる。
【００８２】
［第５態様］
第５態様に係るレンズは、上記第１態様に係るレンズであって、レンズ本体を厚さ方向に沿って切断した断面視で、第１の領域におけるレンズ本体の端部の厚みが、第２の領域におけるレンズ本体の端部の厚みよりも厚い。
【００８３】
上記第５態様のレンズによれば、レンズ本体の第２の領域をフレームに容易に係止できる。
【００８４】
［第６態様］
第６態様に係るレンズは、上記第２態様に係るレンズであって、第１の領域が、先端に平面を含む凸形状であり、第２の領域の形状が、Ｖ字形状である。
【００８５】
上記第６態様に係るレンズによれば、レンズ本体の第１の領域において外部電極と内部電極との接触状態を確保しつつ、レンズ本体の第２の領域をフレームに係止させ易くできる。
【００８６】
［第７態様］
第７態様に係るレンズは、上記第１態様〜上記第６態様のいずれか一態様に係るレンズであって、レンズ本体の上側の外縁部が第１の領域であり、レンズ本体の下側の外縁部が第２の領域であり、第１の領域と第２の領域との境界が、レンズ本体の左右側にそれぞれ位置する。
【００８７】
上記第７態様のレンズによれば、外部電極をレンズ本体の上方側に沿って配置できる。
【００８８】
［第８態様］
第８態様に係るレンズは、上記第７態様に係るレンズであって、第１の領域と第２の領域との境界が、レンズ本体がアイウェアのフレームに保持された状態で、フレームのブリッジまたはテンプルよりも下方向に位置する。
【００８９】
上記第８態様のレンズによれば、外部電極をフレームの上部に沿って配置できる。
【００９０】
［第９態様］
第９態様に係るレンズは、上記第１態様〜上記第８態様のいずれか一態様に係るレンズであって、レンズ本体がフレームに保持され、内部電極がレンズ本体に埋設され、フレームに設けられた外部電極と電気的に接触し、第１の領域が、露出部が外部電極に接触した状態でフレームに係止される第１係止部であり、第２の領域が、第１の領域に接続されフレームに係止される第２係止部である。
【００９１】
上記第９態様のレンズによれば、レンズ本体の第１の領域においてフレームに設けられた外部電極とレンズ本体に埋設された内部電極との接触状態を確保しつつ、レンズ本体の第２の領域をフレームに係止させ易くできる。すなわち、レンズをフレームに容易にはめ込める。
【００９２】
［第１０態様］
第１０態様に係るレンズは、上記第１態様に係るレンズであって、レンズ本体を厚さ方向に沿って切断した断面視で、第１の領域において少なくとも露出部の厚み寸法が、レンズ本体の中央部分の厚み寸法と異なる。
【００９３】
上記第１０態様のレンズによれば、内部電極と外部電極との接触圧力を高くできる。
【００９４】
［第１１態様］
第１１態様に係るレンズは、上記第１０態様に係るレンズであって、レンズ本体を厚さ方向に沿って切断した断面視で、第１の領域において少なくとも露出部の厚み寸法が、レンズ本体の中央部分の厚み寸法よりも薄肉である。
【００９５】
上記第１１態様のレンズによれば、内部電極と外部電極との接触圧力を高くできる。
【００９６】
［第１２態様］
第１２態様に係るアイウェアは、上記第１態様〜上記第１１態様のいずれか一態様に係るレンズと、レンズが保持されるレンズ保持部と、を有し、使用者に装着されるフレームと、レンズ保持部とレンズとの間に配置された外部電極と、を備える。
【００９７】
上記第１２態様のアイウェアによれば、レンズ本体の第１の領域において内部電極と外部電極との接触状態を確保しつつ、レンズ本体の第２の領域をフレームに係止させ易くできる。
【００９８】
［第１３態様］
第１３態様に係るアイウェアは、上記第１２態様に係るアイウェアであって、露出部と外部電極の間に、導電性ラバーが配置される。
【００９９】
上記第１３態様のアイウェアによれば、レンズ本体に設けられた内部電極と外部電極とを導電性ラバーを介して接続できる。
【０１００】
以上、本発明の一実施形態について説明したが、本発明は、上述の構成に限定されるものでなく、その主旨を逸脱しない範囲内において上述の構成以外にも種々変形して実施可能であることは勿論である。
【０１０１】
［実施形態２］
図１１〜図１２Ｅを参照して、本発明に係る実施形態２について説明する。本実施形態の電子眼鏡１０ａは、フレーム１６ａ、および、レンズ１２ａ、１４ａにおける第２係止部７６ｂ〜７６ｆの構成が、前述の実施形態１の電子眼鏡１０（図１、図７参照）の場合と異なる。
【０１０２】
その他の電子眼鏡１０ａの構成は、前述の実施形態１と同様である。このため、以下、本実施形態に係る電子眼鏡１０ａについて、前述の実施形態１と相違する構成を中心に説明する。本実施形態において、実施形態１と同様の構成については、前述の実施形態１に関する説明を適宜援用できる。
【０１０３】
本実施形態の場合、フレーム１６ａは、いわゆるハーフリム型のフレームであって、右側リム２２ａ、左側リム２４ａ、右側ワイヤ８３ａ、左側ワイヤ８３ｂ、ブリッジ２６、および右側テンプル３０（図１参照）、および左側テンプル３２（図２参照）を有する。ブリッジ２６、右側テンプル３０、および左側テンプル３２の構成は、前述の実施形態１の場合と同様である。
【０１０４】
右側リム２２ａ（電子眼鏡１０ａの使用者から見た右側のリム）および左側リム２４ａはそれぞれ、正面視で（電子眼鏡１０ａの使用者の前方側から見て）部分環状である。すなわち、右側リム２２ａおよび左側リム２４ａはそれぞれ、レンズ１２ａおよびレンズ１４ａの外周部の一部を保持する。
【０１０５】
具体的には、右側リム２２ａおよび左側リム２４ａは、レンズ１２ａ、１４ａの外周部における上部（以下、単に外周上部という。）、および、下部（以下、単に外周下部という。）の何れか一方（図１１の場合、外周上部）を含む、レンズ１２ａ、１４ａの外周部の一部を保持する。
【０１０６】
本実施形態において、右側リム２２ａと左側リム２４ａとは、左右対称の関係にあるため、以下、右側リム２２ａの具体的構造について説明する。左側リム２４ａについては、右側リム２２ａの説明を適宜援用すればよい。
【０１０７】
右側リム２２ａは、上部リム要素２００、第１側部リム要素２０１、および第２側部リム要素２０２を有する。上部リム要素２００（第１リム要素ともいう。）は、レンズ１２ａ、１４ａの外周上部を保持する。上部リム要素２００は、レンズ１２ａ、１４ａの外周上部に沿うように幅方向（図１１の左右方向）に延在する。
【０１０８】
第１側部リム要素２０１（第２リム要素ともいう。）は、正面視で、レンズ１２ａ、１４ａの幅方向（図１１の左右方向）における外側かつ上端寄り部分の外周部（第１外周側部ともいう。）を保持する。第１側部リム要素２０１は、レンズ１２ａ、１４ａの第１外周側部に沿うように上下方向（図１１の上下方向）に延在する。
【０１０９】
第１側部リム要素２０１の一端（本実施形態の場合、上端）は、上側リム要素２００の幅方向における外側の端部に連続する。一方、第１側部リム要素２０１の他端（本実施形態の場合、下端）には、後述する右側ワイヤ８３ａの一端が固定される。
【０１１０】
第２側部リム要素２０２（第３リム要素ともいう。）は、レンズ１２ａ、１４ａの幅方向における内側かつ上端寄り部分の外周部（第２外周側部ともいう。）を保持する。第２側部リム要素２０２は、レンズ１２ａ、１４ａの第２外周側部に沿うように上下方向（図１１の上下方向）に延在する。
【０１１１】
第２側部リム要素２０２の一端（本実施形態の場合、上端）は、上側リム要素２００の幅方向における内側の端部に連続する。一方、第２側部リム要素２０２の他端（本実施形態の場合、下端）には、後述する右側ワイヤ８３ａの他端が固定される。
【０１１２】
右側リム２２ａは、内面（レンズ１４ａの外周部と対向する面）に、係止溝８２（図６参照）を有する。係止溝８２の構成は、前述の実施形態１と同様である。
【０１１３】
右側ワイヤ８３ａの両端はそれぞれ、右側リム２２ａに固定される。具体的には、右側ワイヤ８３ａの一端（図１１の左側の端部）は、右側リム２２ａの一端（図１１の左側の端部）に固定される。本実施形態の場合、右側ワイヤ８３ａの一端（図１１の左側の端部）は、右側リム２２ａの第１側部リム要素２０１の他端に固定される。
【０１１４】
一方、右側ワイヤ８３ａの他端（図１１の右側の端部）は、右側リム２２ａの他端（図１１の右側の端部）に固定される。本実施形態の場合、右側ワイヤ８３ａの他端は、右側リム２２ａの第２側部リム要素２０２の他端に固定される。前後方向からの平面視で、右側リム２２ａと右側ワイヤ８３ａとは、レンズ１４ａの外形に沿う環状に構成される。なお、左側ワイヤ８３ｂは、右側ワイヤ８３ａと左右対称であるため、詳しい説明は省略する。
【０１１５】
つぎに、左右一対のレンズ１２ａ、１４ａについて説明する。左右一対のレンズ１２ａ、１４ａの基本的構造は、前述の実施形態１と同様である。また、左側のレンズ１２ａと右側のレンズ１４ａとは、左右対称であるため、以下、右側のレンズ１４ａについて説明する。
【０１１６】
レンズ１４ａは、少なくとも上部リム要素２００により保持される外周部の形状が、右側ワイヤ８３ａに保持される外周部の形状と異なる。本実施形態の場合、レンズ１４ａは、右側リム２２ａ（上部リム要素２００、第１側部リム要素２０１、および第２側部リム要素２０２）により保持される外周部の形状が、右側ワイヤ８３ａに保持される外周部と異なる。
【０１１７】
具体的には、レンズ１４ａは、外周部において右側リム２２ａに保持される部分に、第１係止部７４（第１の領域ともいう）を有する。第１係止部７４は、前述の実施形態１の場合と同様である。一方、レンズ１４ａは、外周部において右側ワイヤ８３ａに保持される部分（換言すれば、右側リム２２ａに保持されない部分）に、第２係止部７６ｂ（第２の領域ともいう）を有する。
【０１１８】
第２係止部７６ｂは、図８に示す第２係止部７６ａと同様である。以下、図１２Ａを参照して、本実施形態に係る第２係止部７６ｂについて説明する。
【０１１９】
まず、図１２Ａに示す第２係止部７６ｂ、および、第２係止部７６ｂの変形例である図１２Ｂ〜図１２Ｅに示す第２係止部７６ｃ〜７６ｆの概要について説明する。
【０１２０】
第２係止部７６ｂ〜７６ｆはいずれも、法線方向および厚さ方向に平行な仮想面で切断した場合の断面形状において、厚さ方向に交互に配置された凹部と凸部とを有する。凹部および凸部はそれぞれ、一つでもよいし複数でもよい。そして、当該凹部により、後述するワイヤ係止溝８４〜８４ｃおよびワイヤ係止切欠８７が構成される。一方、上記凸部の先端面により、後述する凸部８５ａ〜８５ｃが構成される。なお、凸部の先端面は、平坦面が好ましい。ただし、凸部の先端面は、傾斜面や曲面でもよい。
【０１２１】
図１２Ａは、レンズ１４ａにおける第２係止部７６ｂが配置された部分を、法線方向および厚さ方向に平行な仮想面で切断した場合の断面模式図である。
【０１２２】
第２係止部７６ｂは、厚さ方向（図１２Ａの左右方向）の中間部に、厚さ方向における両端部よりも法線方向における他方（図１２Ａの上方）に凹んだワイヤ係止溝８４を有する。本実施形態の場合、ワイヤ係止溝８４は、第２係止部７６ｂの厚さ方向中央に設けられる。
【０１２３】
ワイヤ係止溝８４は、法線方向および厚さ方向に平行な仮想面で切断した場合の断面形状が、矩形である。ワイヤ係止溝８４は、第２係止部７６ｂの全長にわたり連続する。
【０１２４】
第２係止部７６ｂは、ワイヤ係止溝８４を前後方向から挟んだ位置に、先端が平坦面である一対の凸部８５ａ、８５ｂを有する。一対の凸部８５ａ、８５ｂは、第２係止部７６ｂの全長にわたり連続する。
【０１２５】
以上のような構成を有する第２係止部７６ｂのワイヤ係止溝８４には、右側ワイヤ８３ａが係止される。一方、第１係止部７４は、図６に示すように、右側リム２２ａの内周部に形成された係止溝８２に係止される。このようにして、レンズ１４ａは、右側リム２２ａおよび右側ワイヤ８３ａに保持される。
【０１２６】
以下、図１２Ｂ〜図１２Ｅを参照して、実施形態２に係る第２係止部７６ｂの変形例１〜４について説明する。
【０１２７】
図１２Ｂは、第２係止部の変形例１の断面模式図である。第２係止部７６ｃは、厚さ方向（図１２Ｂの左右方向）の中間部において、中央部から厚さ方向における一方（図１２Ｂの左側）にずれた位置に、ワイヤ係止溝８４ａを有する。ワイヤ係止溝８４ａは、法線方向における他方（図１２Ｂの上方）に凹んだ溝状である。
【０１２８】
ワイヤ係止溝８４ａは、法線方向および厚さ方向に平行な仮想面で切断した場合の断面形状が、矩形である。なお、第２係止部７６ｃは、厚さ方向（図１２Ｂの左右方向）の中間部において、中央部から厚さ方向における他方（図１２Ｂの右側）にずれた位置に、ワイヤ係止溝８４ａを有してもよい。
【０１２９】
上述のようなワイヤ係止溝８４ａには、右側ワイヤ８３ａまたは左側ワイヤ８３ｂが係止される。その他の第２係止部７６ｃの構成は、上述の実施形態２の第２係止部７６ｂと同様である。
【０１３０】
図１２Ｃは、第２係止部の変形例２の断面模式図である。第２係止部７６ｄは、厚さ方向（図１２Ｃの左右方向）の中間部（図示の場合、中央部）にワイヤ係止溝８４ｂを有する。ワイヤ係止溝８４ｂは、法線方向における他方（図１２Ｃの上方）に凹んだ溝状である。具体的には、ワイヤ係止溝８４ｂは、法線方向および厚さ方向に平行な仮想面で切断した場合の断面形状が三角形である。
【０１３１】
ワイヤ係止溝８４ｂは、上記断面形状において、開口部から離れるほど（図１２Ｃの上方に向かうほど）、厚さ方向（図１２Ｃの左右方向）における寸法が小さくなる。このようなワイヤ係止溝８４ｂには、右側ワイヤ８３ａまたは左側ワイヤ８３ｂが係止される。その他の第２係止部７６ｄの構成は、上述の実施形態２の第２係止部７６ｂと同様である。
【０１３２】
図１２Ｄは、第２係止部の変形例３の断面模式図である。第２係止部７６ｅは、厚さ方向（図１２Ｄの左右方向）の中間部（図示の場合、中央部）にワイヤ係止溝８４ｃを有する。ワイヤ係止溝８４ｃは、法線方向における他方（図１２Ｃの上方）に凹んだ溝状である。具体的には、ワイヤ係止溝８４ｃは、法線方向および厚さ方向に平行な仮想面で切断した場合の断面形状が半円形である。なお、ワイヤ係止溝８４ｃの断面形状は、半円形に限定されない。ワイヤ係止溝８４ｃの断面形状は、半円形以外の曲線により構成されてもよい。また、ワイヤ係止溝８４ｃの断面形状は、曲線と直線との組み合わせにより構成されてもよい。
【０１３３】
ワイヤ係止溝８４ｃは、上記断面形状において、開口部から離れるほど（図１２Ｄの上方に向かうほど）、厚さ方向（図１２Ｄの左右方向）における寸法が小さくなる。このようなワイヤ係止溝８４ｃには、右側ワイヤ８３ａまたは左側ワイヤ８３ｂが係止される。その他の第２係止部７６ｅの構成は、上述の実施形態２の第２係止部７６ｂと同様である。
【０１３４】
図１２Ｅは、第２係止部の変形例４の断面模式図である。第２係止部７６ｆは、厚さ方向（図１２Ｅの左右方向）における一方の半部（図１２Ｅの右半部）に、他方の半部（図１２Ｅの左半部）よりも法線方向における他方（図１２Ｅの上方）に凹んだワイヤ係止切欠８７を有する。
【０１３５】
逆にいえば、第２係止部７６ｆは、厚さ方向における他方の半部（図１２Ｅの左半部）に、一方の半部よりも法線方向における一方に突出し、先端が平坦面である凸部８５ｃを有する。
【０１３６】
本実施形態の場合、厚さ方向における一方の半部は、第２係止部７６ｆにおける前半部および後半部のうちの一方の半部である。一方、厚さ方向における他方の半部は、第２係止部７６ｆにおける前半部および後半部のうちの他方の半部である。なお、第２係止部７６ｆの厚さ方向（図１２Ｅの左右方向）における寸法は、右側ワイヤ８３ａまたは左側ワイヤ８３ｂを係止可能な寸法であればよい。
【０１３７】
ワイヤ係止切欠８７は、法線方向および厚さ方向に平行な仮想面で切断した場合の断面形状が、矩形である。このようなワイヤ係止切欠８７には、右側ワイヤ８３ａまたは左側ワイヤ８３ｂが係止される。
【０１３８】
［付記］
図示は省略するが、実施形態２に係るフレーム１６ａの変形例１として、右側リムおよび左側リムは、上部リム要素２００の代わりに、レンズ１２ａ、１４ａの外周下部を保持する下部リム要素（第１リム要素ともいう。）を有してもよい。この場合には、上述の第１側部リム要素２０１および第２側部リム要素２０２に相当する側部リム要素（第２リム要素、第３リム要素ともいう。）を適宜設けてもよい。
【０１３９】
また、実施形態２に係るフレーム１６ａの変形例２として、右側ワイヤ８３ａおよび左側ワイヤ８３ｂを省略した構成を採用してもよい。この場合には、レンズ１２ａ、１４ｂは、右側ワイヤ８３ａおよび左側ワイヤ８３ｂに締結部品（たとえば、ねじなど）により固定される。このため、上述の第２係止部７６ｂは、省略できる。
【０１４０】
［実施形態３］
以下、本発明に係る実施形態３について説明する。はじめに、本実施形態の構成に至った経緯を述べる。上述の特許文献１には、アイウェアのレンズが開示される。このようなレンズは、レンズに設けられた電極への通電に基づいて、レンズの一部の領域の焦点距離を変更できる。これにより、上述のようなレンズを備えたアイウェアの使用者は、使用者の近くに配置された物を上記一部の領域を通じて良好に視認できる（つまり、拡大した状態で視認できる）。このようなレンズにおいては、電極が視界の妨げにならないことが、視認性を向上する観点から望ましい。そこで、本願発明者は、電極が視界の妨げになることなく視認性を向上できるレンズ、レンズブランク、およびアイウェアを提供することを目的として、本実施形態の構成を考案した。
【０１４１】
以下、図１３〜図１６を参照して本実施形態に係るアイウェアとしての電子眼鏡１０ｂについて説明する。なお、電子眼鏡１０ｂの基本的な構成は、図１および図２を参照して説明した実施形態１の電子眼鏡１０と同様である。このため、実施形態１と同様部分の説明には、図１および図２と同様の符号を用いる。
【０１４２】
図１３および図１４に示すように、本実施形態の電子眼鏡１０ｂは、使用者のスイッチ操作により左右のレンズ１２、１４の一部の焦点距離（度数）を変更できる。具体的には、電子眼鏡１０は、使用者に装着されるフレーム１６と、フレーム１６に保持された左右一対のレンズ１２、１４と、レンズ１２、１４に設けられた液晶１８を駆動させる液晶駆動部２０と、を備える。
【０１４３】
フレーム１６は、右側リム２２、左側リム２４、およびブリッジ２６を有する。右側リム２２および左側リム２４はそれぞれ、右側のレンズ１４および左側のレンズ１２を保持する。右側リム２２および左側リム２４はそれぞれ、正面視で（電子眼鏡１０ｂの使用者の前方側から見て）環状である。
【０１４４】
ブリッジ２６は、右側リム２２と左側リム２４とを左右方向につなぐ。また、フレーム１６は、右側リム２２および左側リム２４においてブリッジ２６と隣接する部分に、使用者の鼻に係止されるパッド部２８を有する。
【０１４５】
また、フレーム１６は、右側リム２２の右側の端部に傾動可能に取付けられた右側テンプル３０と、左側リム２４の左側の端部に傾動可能に取付けられた左側テンプル３２と、を備える。
【０１４６】
図１３に示すように、右側テンプル３０は、右側テンプル本体３４および蓋部３８を有する。右側テンプル本体３４は、使用者側（幅方向における内側ともいう。）が開放された溝部３６を有する。蓋部３８は、右側テンプル本体３４に取付けられることにより溝部３６を閉止する。
【０１４７】
液晶駆動部２０は、後述するレンズ１２、１４に設けられた液晶１８の配列を変更する。液晶駆動部２０は、制御モジュール４０、可撓ケーブル４２、バッテリー４４、およびスイッチ４６を有する。可撓ケーブル４２、バッテリー４４、およびスイッチ４６はそれぞれ、制御モジュール４０に接続される。
【０１４８】
制御モジュール４０は、右側テンプル本体３４の溝部３６に配置される。制御モジュール４０は、右側テンプル本体３４に蓋部３８が取付けられた状態において、使用者側へ露出しない。また、スイッチ４６は、右側テンプル本体３４における使用者とは反対側（幅方向における外側であって、溝部３６が形成された側とは反対側）に固定される。
【０１４９】
なお、本実施形態のスイッチ４６は、使用者が触れることでスイッチ操作可能な静電容量タッチスイッチである。また、バッテリー４４は、右側テンプル３０の後端部に着脱可能に取付けられる。
【０１５０】
可撓ケーブル４２は、右側テンプル３０内に配置された制御モジュール４０から、右側リム２２の上方側の部位、ブリッジ２６、および左側リム２４の上方側の部位にかけて配索される。
【０１５１】
そして、右側のレンズ１４および左側のレンズ１２はそれぞれ、右側リム２２および左側リム２４に固定される（はめ込まれる）。この状態において可撓ケーブル４２と内部電極４８、５０（図１５参照）とが、電気的に接続される。
【０１５２】
レンズ１２、１４の内部には、ＦＲの軸の方向について液晶１８を挟むように一対の導電膜（図示しない）が配置される。内部電極４８および内部電極５０はそれぞれ、一対の導電膜の一方および他方に電気的に接続される。
【０１５３】
内部電極４８、５０に対して電圧が印加されると一対の導電膜間に電圧が印加される。導電膜間への電圧の印加によって生じる電界により、液晶１８の配向が制御される。例えば、液晶１８としてコレステリック液晶を採用した場合には、内部電極４８、５０間の電圧を制御することで液晶１８の屈折率が制御される。
【０１５４】
次に、本実施形態の要部であるレンズ１２、１４について説明する。なお、右側のレンズ１４と左側のレンズ１２とは左右対称である。このため、以下の説明においては左側のレンズ１２について説明し、右側のレンズ１４については左側のレンズ１２の各部と同一の符号を付してその説明を省略する。
【０１５５】
図１５に示すように、レンズ１２は、レンズブランク５２を、左側リム２４（図１３参照）と対応する形状に加工して得られる。レンズブランク５２は、たとえば、正面視における外形が円形状である。なお、レンズブランク５２を正面（厚さ方向）から見た中心（図心）をブランク中心Ｃ１という。
【０１５６】
レンズブランク５２は、ブランク本体５８を備える。ブランク本体５８は、厚さ方向に重ね合わせて接合された前面レンズ５４および回折部付レンズ５６を有する。前面レンズ５４および回折部付レンズ５６はそれぞれ、前方側へ凸状となるように緩やかに湾曲する。
【０１５７】
また、前面レンズ５４と、回折部付レンズ５６において回折部６０（図１４参照）が設けられた部分以外の部分とは、接着層（図示省略）を介して接合される。なお、この接着層内には、後述する内部電極４８、５０が埋設される。レンズブランク５２から切り出されたレンズ１２のレンズ本体６８の構成は、レンズブランク５２のブランク本体５８の構成と対応する。
【０１５８】
回折部付レンズ５６は、一部に、電気活性部および焦点距離変更部の一部を構成する回折部６０を有する。回折部６０は、前面レンズ５４側（前面側）が鋸刃状の断面である所謂フレネルレンズの構成を有する。
【０１５９】
回折部６０は、ブランク中心Ｃ１の下方側に配置される。回折部６０は、正面視における外縁６０Ａが、左右方向を長手方向とする楕円形状である。なお、回折部６０の中心（図心）を回折部中心Ｃ２という。
【０１６０】
また、回折部中心Ｃ２を通り上下方向に延びる線は、回折部中心線ＬＣ２である。回折部中心線ＬＣ２は、電気活性部中心線および焦点距離変更部中心線でもある。本実施形態では、回折部中心線ＬＣ２は、ブランク中心Ｃ１を通る。
【０１６１】
ここで、図１４に示すように、回折部６０は、電子眼鏡１０ｂの使用者のフィッティングポイントＦＰを考慮してその位置および範囲が設定される。図１４および図１６に示すように、フィッティングポイントＦＰは、水平方向（垂直０°方向）の正面に視線を合わせた電子眼鏡１０ｂの使用者を正面側から見た場合に、当該使用者の瞳Ｐが位置するポイントである。
【０１６２】
通常、遠くを見るときの瞳Ｐの位置と、近くを見るときの瞳Ｐの位置とは異なる。そして、本実施形態では、使用者が近くを見るときに回折部６０を通じて対象物を視認できるように、レンズ本体６８に対する回折部６０の位置が設定される。
【０１６３】
図１５および図１６に示すように、電子眼鏡１０ｂの使用者が、水平方向（０°方向）から垂直方向の下方側に１０°〜２０°の範囲で視線を下ろした際、回折部６０を通じて対象物を視認できるように回折部６０の位置および範囲が設定される。
【０１６４】
たとえば、回折部６０の回折部中心Ｃ２の位置は、フィッティングポイントから垂直方向下方の９．５ｍｍの位置、かつフィッティングポイントから水平方向に２〜２．５ｍｍの位置に設定される。
【０１６５】
通常、使用者が近くを見ようとして瞳Ｐを垂直方向下方にずらすと、瞳Ｐの位置は、内側（鼻側の方向）に寄る。このため、回折部６０の回折部中心Ｃ２の位置は、フィッティングポイントから水平方向に２〜２．５ｍｍの位置にインセットされているともいえる。
【０１６６】
また、回折部付レンズ５６の回折部６０と前面レンズ５４との間には、液晶１８が介装される。液晶１８は、電圧が印加される（通電される）ことで屈折率が変更される。液晶１８は、電気活性部および焦点距離変更部の他の一部も構成する。
【０１６７】
図１５に示すように、一対の内部電極４８、５０は、回折部６０およびブランク中心Ｃ１の上方側に配置される。一対の内部電極４８、５０は、ブランク本体５８およびレンズ本体６８の上端５８Ａ、６８Ａから下方側へ直線状に延在する。また、一対の内部電極４８、５０は、左右方向（ブランク本体５８およびレンズ本体６８の幅方向）に互いに離間し、かつ平行に配置される。
【０１６８】
ここで平行とは厳密に平行である必要はなく、ほぼ平行な状態であればよい。左側に配置された内部電極５０は、回折部中心線ＬＣ２に対して左側、かつ、回折部６０の外縁６０Ａの左端６０ＡＬよりも右側に配置される。
【０１６９】
また、右側に配置された内部電極４８は、回折部中心線ＬＣ２に対して右側、かつ、回折部６０の外縁６０Ａの右端６０ＡＲよりも左側に配置される。
【０１７０】
本実施形態では、内部電極５０の下端５０Ａおよび内部電極４８の下端４８Ａが、フィッティングポイントＦＰよりも上方側、かつ、ブランク本体５８の図心（ブランク中心Ｃ１）を通り左右方向に延びる線ＶＣ１およびレンズ本体６８の図心Ｃ３を通り左右方向に延びる線ＶＣ３よりも上方側に配置される。
【０１７１】
具体的には、図１６に示すように、電子眼鏡１０ｂの使用者が、水平方向（０°方向）から上方側に５°視線を上げた際、使用者の視線が内部電極４８、５０に掛からないように、内部電極５０の下端５０Ａおよび内部電極４８の下端４８Ａの位置が設定される。
【０１７２】
また、本実施形態では、一対の内部電極４８、５０の上端部が、レンズ本体６８の上端６８Ａのうち略直線状に形成された領域に配置されるとともに、当該略直線状に形成された領域と直交する方向（つまり、当該領域の法線方向）へ延在する。
【０１７３】
（本実施形態の作用並びに効果）
次に、本実施形態の作用並びに効果について説明する。
【０１７４】
使用者が、図１３および図１４に示す電子眼鏡１０ｂを装着し、かつ、スイッチ４６を操作していない状態において、液晶１８には、電圧は印加されない。ここで、電圧が印加されていない状態の液晶１８の屈折率は、前面レンズ５４および回折部付レンズ５６と略同一である。従って、左右のレンズ１２、１４において回折部６０が設けられた部分の度数は、左右のレンズ１２、１４における回折部６０以外部分の度数と略同一である。
【０１７５】
また、電子眼鏡１０ｂの使用者によるスイッチ４６の操作に応じて、液晶１８に電圧が印加されると、液晶１８の配列が変更されて、液晶１８の屈折率が変化する。これにより、左右のレンズ１２、１４において回折部６０が設けられた部分の度数が、左右のレンズ１２、１４における回折部６０以外の部分の度数に比べて高くなる。換言すれば、回折部６０が設けられた部分の焦点距離が、左右のレンズ１２、１４における回折部６０以外の部分の焦点距離に比べて短くなる。
【０１７６】
図１５に示すように、本実施形態では、レンズ本体６８における内部電極５０の下端５０Ａおよび内部電極４８の下端４８Ａが、フィッティングポイントＦＰよりも上方側に配置される。これにより、使用者がレンズ１２を通じて対象物を視認する際、内部電極５０および内部電極４８が視界の妨げになることを抑制できる。
【０１７７】
特に、本実施形態では、電子眼鏡１０ｂの使用者が、水平方向（０°方向）に対して上方側に５°視線を上げた際、使用者の視線が内部電極４８、５０に掛からないように、図１５に示す内部電極５０の下端５０Ａおよび内部電極４８の下端４８Ａの位置が設定される。
【０１７８】
これにより、電子眼鏡１０ｂの使用者が常用する視線の範囲において内部電極５０および内部電極４８が視界の妨げになることを抑制できる。なお、電子眼鏡１０ｂの使用者が常用する視線の範囲とは、電子眼鏡１０ｂの使用者が、水平方向（０°方向）から下方側に５°〜１０°の範囲で視線を下ろした範囲のことである。
【０１７９】
なお、本実施形態では、左側に配置された内部電極５０（右側のレンズ１４においては右側の内部電極５０）が、回折部６０の外縁６０Ａの左端６０ＡＬよりも右側に配置された（右側のレンズ１４においては回折部６０の外縁６０Ａの右端６０ＡＲよりも左側に配置された）例について説明したが、本発明はこれに限定されない。
【０１８０】
例えば、左側に配置された内部電極５０が、回折部６０の外縁６０Ａの左端６０ＡＬよりも左側に配置されてもよい。このように、左側に配置された内部電極５０の位置は、レンズブランク５２からレンズ１２が切り出される際に内部電極４８の全てが削り取られない範囲に設定すればよい。
【０１８１】
また、図１７に示すように、左側に配置された内部電極５０および右側に配置された内部電極４８の両方を回折部６０の外縁６０Ａの左端６０ＡＬよりも左側に配置してもよい。
【０１８２】
詳述すると、図１７に示す変形例１のレンズ１２では、回折部６０の回折部中心Ｃ２が、レンズ本体６８の図心Ｃ３を通り上下方向に延びる中心線ＬＣ３に対して、右側に偏在される。
【０１８３】
また、一対の内部電極４８、５０は、中心線ＬＣ３に対して左側に偏在される。当該構成では、前方の上下方向への広い領域で内部電極５０および内部電極４８が視界の妨げになることを抑制できる。
【０１８４】
ここで、ＲＨは使用者が本レンズを眼鏡として装着する際の鼻が位置する方向であり、ＬＨは鼻とは反対側の方向である。図１７に示す構造の場合、レンズ１２において内部電極４８、５０が鼻とは反対側の方向に配置されている。このため、鼻側に配置される場合よりも視界の妨げになりにくい。
【０１８５】
さらに、図１８に示す変形例２のように、回折部中心線ＬＣ２から左側に配置された内部電極５０までの距離ＷＬと、回折部中心線ＬＣ２から右側に配置された内部電極４８までの距離ＷＲとを同一に設定してもよい。
【０１８６】
距離ＷＬおよび距離ＷＲは厳密に同じ距離でなくてもほぼ同程度の距離であればよい。また、内部電極４８、５０は、回折部中心線ＬＣ２について左右対称に配置されているともいえる。ここで、左右対称とは、内部電極４８、５０が、互いに略平行であり、略同程度の長さを有し、距離ＷＬおよび距離ＷＲが略同程度の距離であればよい。
【０１８７】
このように設定されたレンズブランク５２を用いて左右のレンズ１２、１４（図１４参照）を形成することにより、レンズブランク５２の左右の共用化を図れる。つまり、左側のレンズ１２用のレンズブランク５２と右側のレンズ１４用のレンズブランク５２とを作り分けなくてもよい。
【０１８８】
また、本実施形態では、図１５および図１７に示すように、内部電極４８、５０の２つの電極が、レンズ本体６８の上端６８Ａのうちの略水平な領域から下方に伸びるように配置される。
【０１８９】
換言すれば、前方からの平面視で、互いに略平行かつ略直線状の一対の内部電極４８、５０は、レンズ本体６８の上端６８Ａにおける略直線状の領域に対して、略垂直の角度をなすように配置される。
【０１９０】
ここで、レンズ本体６８の上端６８Ａが面の場合には、略直線状かつ略平行に配置された一対の内部電極４８、５０は、上端６８Ａにおける同一の略平面状の領域に対して、略垂直の角度をなすように配置される。
【０１９１】
上述のように、レンズ本体６８の上面の略水平な領域に内部電極４８、５０が配置されることで、可撓ケーブル４２と内部電極４８、５０との接触圧力が高まり、安定した電気接続を実現できる。
【０１９２】
さらに、内部電極４８、５０は互いに略平行かつ略直線状の形状であり、これらがレンズ本体６８の上面の略水平な領域に対して略垂直の角度をなすように配置されることで、レンズブランク５２からレンズ本体６８を切り出す際の若干の誤差を許容できる。
【０１９３】
以上のような本実施形態は、上述の構成に限定されるものでなく、その主旨を逸脱しない範囲内において上述の構成以外の構成にも種々変形して適用可能である。また、本実施形態は、技術的に矛盾がない範囲において、他の実施形態と組み合わせて実施できる。
【０１９４】
［本実施形態のまとめ］
上述の実施形態３に係るレンズ、レンズブランク、およびアイウェアには、以下の各態様が含まれる。
【０１９５】
［第１態様］
上述の実施形態３に係るレンズの第１態様は、レンズ本体と、レンズ本体の一部の領域に設けられた電気活性部と、レンズ本体に埋設されているとともに電気活性部の電気的制御に用いられ、レンズ本体の上方側の端から下方へ延在されているとともにレンズ本体の上下方向と直交する方向である幅方向に互いに離間して略平行に配置され、下端部はレンズ本体の上下方向について電気活性部と離間して配置された一対の電極と、を備える。
【０１９６】
上記第１態様によれば、レンズ本体において一対の電極の電気活性部側の端部が視界の妨げになることを抑制できる。
【０１９７】
［第２態様］
第２態様に係るレンズは、上記第１態様に係るレンズであって、一対の電極が、幅方向について電気活性部が配置された範囲内であり、上下方向について電気活性部の上方向に離間した領域に配置されている。
【０１９８】
上記第２態様に係るレンズによれば、電気活性部と一対の電極の下端部との間の視界を確保できる。
【０１９９】
［第３態様］
第３態様に係るレンズは、上記第１態様に係るレンズであって、一対の電極の下端部が、当該レンズの使用者が正面視する際に瞳が位置すると想定されるポイントよりも上方向に位置している。
【０２００】
上記第３態様に係るレンズによれば、当該レンズの使用者が正面を視認する際に、一対の電極が視界の妨げになることを抑制できる。
【０２０１】
［第４態様］
第４態様に係るレンズは、上記第１態様に係るレンズであって、一対の電極が、レンズ本体の厚さ方向から見た電気活性部の図心を通りレンズ本体の上下方向に延びる電気活性部中心線について、略左右対称に配置されている。
【０２０２】
上記第４態様に係るレンズによれば、左右のレンズを同一のレンズブランクから形成できる。
【０２０３】
［第５態様］
第５態様に係るレンズは、上記第１態様に係るレンズであって、一対の電極が、レンズ本体の上方側の端のうち、同一の略直線状の領域に配置されている。
【０２０４】
上記第５態様に係るレンズによれば、一対の電極の上端を外部電極に容易に接続できる。
【０２０５】
［第６態様］
第６態様に係るレンズは、上記第５態様に係るレンズであって、一対の電極は略直線状であり、レンズ本体の略直線状の領域から、略垂直に下方向に向かって配置されている。
【０２０６】
上記第６態様に係るレンズによれば、一対の電極の上端部を外部電極に安定した状態で接触させられる。
【０２０７】
［第７態様］
第７態様に係るレンズは、上記第１態様に係るレンズであって、一対の電極が略直線状であって、かつ互いに同程度の長さに設定されている。
【０２０８】
上記第７態様に係るレンズによれば、一対の電極の電気抵抗をほぼ同じに設定できる。
【０２０９】
［第８態様］
第８態様に係るレンズは、上記第１態様に係るレンズであって、一対の電極が、レンズ本体の厚さ方向から見たレンズ本体の図心を通り幅方向に延びるレンズ本体の中心線よりも上方向に位置している。
【０２１０】
上記第８態様に係るレンズによれば、レンズの使用者が正面を視認する際に、一対の電極が視界の妨げになることを抑制できる。
【０２１１】
［第９態様］
第９態様に係るレンズは、上記第１態様に係るレンズであって、一対の電極が、レンズ本体の幅方向について、電気活性部の一方の端部よりも外側に配置されている。
【０２１２】
上記第９態様に係るレンズによれば、一対の電極が視界の妨げになることを抑制できる。
【０２１３】
［第１０態様］
第１０態様に係るレンズは、上記第１態様に係るレンズであって、電気活性部の図心が、レンズ本体の厚さ方向から見たレンズ本体の幅方向に関する中心線に対して、幅方向の一方向に偏在し、一対の電極が、中心線に対して幅方向の他方向に偏在されている。
【０２１４】
上記第１０態様に係るレンズによれば、一対の電極が視界の妨げになることを抑制できる。
【０２１５】
［第１１態様］
第１１態様に係るレンズは、上記第１０態様に係るレンズであって、幅方向の他方向が、レンズ本体が使用される際の使用者の鼻が位置する方向とは反対方向である。
【０２１６】
上記第１１態様に係るレンズによれば、一対の電極が視界の妨げになることを抑制できる。
【０２１７】
［第１２態様］
第１２態様に係るレンズは、上記第１態様に係るレンズであって、一方の電極が、レンズ本体の厚さ方向から見た電気活性部の図心を通りレンズ本体の上下方向に延びる電気活性部中心線に対してレンズ本体の幅方向一方側に配置されており、他方の電極が、電気活性部中心線に対してレンズ本体の幅方向他方側に配置されているとともに、電気活性部の幅方向他方側の端よりもレンズ本体の幅方向一方側に配置されている。
【０２１８】
上記第１２態様に係るレンズによれば、レンズ本体における一対の電極の間の部分の視界を確保できる。また、レンズをレンズブランクから成形する際、一対の電極の両方をレンズ本体内に配置させ易くできる。
【０２１９】
［第１３態様］
第１３態様に係るレンズは、上記第１態様に係るレンズであって、一方の電極が、レンズ本体の厚さ方向から見た電気活性部の図心を通りレンズ本体の上下方向に延びる電気活性部中心線に対してレンズ本体の幅方向一方側に配置されており、他方の電極が、電気活性部中心線に対してレンズ本体の幅方向他方側に配置されており、一方の電極と電気活性部中心線とのレンズ本体の幅方向への距離と、他方の電極と電気活性部中心線とのレンズ本体の幅方向への距離と、が略同じ距離である。
【０２２０】
上記第１３態様に係るレンズによれば、レンズをレンズブランクから成形する際に、右側のレンズを形成するためのレンズブランクと左側のレンズを形成するためのレンズブランクとを共通化できる。
【０２２１】
［第１４態様］
第１４態様に係るレンズは、上記第１態様〜上記第１３態様のいずれか一態様に係るレンズであって、電気活性部が、通電されることで焦点距離が変更される焦点距離変更部である。
【０２２２】
上記第１４態様に係るレンズによれば、一対の電極を介して焦点距離変更部に通電がなされることで、焦点距離変更部の焦点距離を変更できる。
【０２２３】
［第１５態様］
第１５態様に係るレンズブランクは、レンズ基板と、レンズ基板の一部の領域に設けられた電気活性部と、レンズ基板に埋設されているとともに電気活性部の電気的制御に用いられ、レンズ基板の上方側の端から下方へ延在されているとともにレンズ基板の上下方向と直交する方向である幅方向に互いに離間して略平行に配置され、下端部はレンズ基板の上下方向について電気活性部と離間して配置された一対の電極と、を備える。
【０２２４】
上記第１５態様に係るレンズブランクによれば、当該レンズブランクから形成されたレンズにおいて、一対の電極が視界の妨げになることを抑制できる。
【０２２５】
［第１６態様］
第１６態様に係るレンズブランクは、上記第１５態様に係るレンズブランクであって、一対の電極が、略直線状の形状であって、レンズ基板の厚さ方向から見たレンズ基板の図心を通りレンズ基板の上下方向に延びるレンズ基板中心線について、略左右対称に配置されている。
【０２２６】
上記第１６態様に係るレンズブランクによれば、当該レンズブランクから右側のレンズおよび左側のレンズを形成できる。
【０２２７】
［第１７態様］
第１７態様に係るレンズブランクは、上記第１５態様又は上記第１６態様に係るレンズブランクであって、一対の電極が同程度の長さである。
【０２２８】
上記第１７態様に係るレンズブランクによれば、当該レンズブランクから右側のレンズおよび左側のレンズを形成できる。
【０２２９】
［第１８態様］
第１８態様に係るアイウェアは、上記第１態様〜上記第１４態様のいずれか一態様に係るレンズと、レンズが保持されるレンズ保持部を有し、使用者に装着されるフレームと、を備える。
【０２３０】
上記第１８態様に係るアイウェアによれば、レンズのレンズ本体において一対の電極の電気活性部側の端部が視界の妨げになることを抑制できる。
【０２３１】
［実施形態４］
以下、本発明に係る実施形態４について説明する。はじめに、本実施形態の構成に至った経緯を述べる。特許文献２に開示されたアイウェア用のレンズ、および当該レンズを有するレンズブランクには、所定の情報を含むマークが形成されている。特許文献１に開示されたレンズにおける一方の面は、凸面であり、当該一方の面の反対側の面は、凹面である。このようなレンズは、当該凹面に、永久マークを有し、当該凸面に、基準位置を示すレイアウトマークを有する。しかしながら、マークが、レンズの表面に形成されている場合、マークが、消失したり、改ざんされたりする可能性がある。そこで、本願発明者は、マークが、消失したり、改ざんされたりしにくい、アイウェア用のレンズ、当該レンズを有するレンズブランク、およびアイウェアを提供することを目的として、本実施形態の構成を考案した。
【０２３２】
以下、図１９〜図２３を参照して本実施形態に係るアイウェアとしての電子眼鏡１００について説明する。以下の説明では、本実施形態に係るアイウェアの代表例として、電気的制御によって、その光学特性を変化させることができる電気活性領域を含むレンズを有する電子メガネについて説明する。
【０２３３】
なお、アイウェアの例には、視力補正レンズのようにユーザの視力向上のための補助機構を有する眼鏡（電子メガネおよびサングラスを含む）、およびゴーグル、ユーザの視界または眼に対して情報提示を行う機構を有する種々のデバイス（例えば、眼鏡型ウェアラブル端末や、ヘッドマウントディスプレイなど）が含まれる。
【０２３４】
本実施形態では、一対のレンズを有する両眼用の電子メガネについて説明するが、アイウェアは、この態様に限定されない。アイウェアの構成は、使用者がアイウェアを装着することにより、当該使用者の眼に対して視力または視界向上のための補助機構や情報提示のための機構などを保持できる構成であればよい。
【０２３５】
アイウェアは、両方の耳に装着される眼鏡型に限らず、頭部や片方の耳などに装着されてもよい。また、アイウェアは、両眼用のアイウェアに限らず、片眼用のアイウェアであってもよい。
【０２３６】
［電子メガネの構成］
図１９は、本実施形態に係る電子メガネ１００の構成の一例を示す斜視図である。なお、本実施形態に係る電子眼鏡１００の基本的構造は、図１および図２を参照して説明した実施形態１に係る電子眼鏡１０とほぼ同様である。図２０は、本実施形態に係る電子メガネ１００の内部回路を示すブロック図である。電子メガネ１００は、一対のレンズ１１０、フレーム１２０、および電源１６０を有する。
【０２３７】
フレーム１２０は、フロント１３０および一対のテンプル１４０を有する。なお、以下の説明では、フロント１３０が配置される部分を電子メガネ１００およびレンズ１１０の正面（前方）として説明する。なお、図１９において、右側用のテンプル１４０およびフロント１３０は、分解図として示される。
【０２３８】
一対のレンズ１１０は、電子メガネ１００を正面視（前後方向または厚さ方向からの平面視ともいう。）したときに、ほぼ左右対称となるように形成されており、互いに同一の構成要素を有する。そこで、以下の説明では、電子メガネ１００の右目用のレンズ１１０について説明し、左目用のレンズ１１０の構成要素については、その説明を省略する。
【０２３９】
図１９に示すように、フロント１３０は、一対のレンズ１１０を保持する。フロント１３０は、一対のレンズ１１０をそれぞれ支持する一対のリム１３１と、一対のリム１３１を互いに接続するブリッジ１３２とを有する。
【０２４０】
リム１３１の形状は、レンズ１１０の形状に対応する形状である。ブリッジ１３２は、使用者の鼻に接触しうる一対の鼻パッド１３３を有する。図１９に示すように、フロント１３０の内部には配線１８０が配置される。
【０２４１】
配線１８０は、レンズ１１０の一方の電極（後述の第１透明導電層１１４および第１補助電極１１７）と制御部１５０との間を電気的に接続し、かつレンズ１１０の他方の電極（後述の第２透明導電層１１６および第２補助電極１１９）と制御部１５０との間を電気的に接続する。なお、本実施形態の場合、第１補助電極１１７が、前述の実施形態１における内部電極４８、５０（図４参照）に相当する。
【０２４２】
フロント１３０の材料は、特に限定されない。フロント１３０の材料としては、メガネのフロントの材料として使用される公知の材料を使用できる。フロント１３０の材料の例には、ポリアミド、アセテート、カーボン、セルロイド、ポリエーテルイミドおよびポリウレタンが含まれる。
【０２４３】
一対のテンプル１４０は、電子メガネ１００においてほぼ左右対称となるように形成されており、互いに同一の構成要素を有する。そこで、以下の説明では、右側用のテンプル１４０について説明し、左側用のテンプル１４０の構成要素については、同一の符号を付してその説明を省略する。
【０２４４】
テンプル１４０は、その前端部においてフロント１３０に接続される。たとえば、テンプル１４０は、回転可能にフロント１３０のリム１３１に係合される。
【０２４５】
図１９に示すように、テンプル１４０は、筐体１４１、検出部１４２、および制御部１５０を有する。
【０２４６】
筐体１４１は、テンプル１４０の外形を構成する。筐体１４１は、検出部１４２、制御部１５０、および配線１８０の一部を収容する。筐体１４１は、一方向に沿って延在する。筐体１４１の形状は、特に限定されない。
【０２４７】
使用者が、検出部１４２の位置を認識し易くする観点から、筐体１４１の一部の形状と、筐体１４１の他の部分の形状とは、互いに異なっていてもよい。本実施形態では、筐体１４１の一部の形状と、筐体１４１の他の部分の形状とは、互いに異なる。
【０２４８】
筐体１４１の左側面（電子メガネ１００の外側面）には、凸条が形成される。筐体１４１の左側面の、検出部１４２に対応する位置は、平面形状となるように形成される。これにより、使用者は、検出部１４２が配置される位置を容易に認識できる。また、筐体１４１の右側面（電子メガネ１００の内側面）の表面の形状は、平面形状である。
【０２４９】
筐体１４１の材料は、特に限定されない。筐体１４１の材料としては、メガネのテンプルの材料として使用される公知の材料を使用できる。筐体１４１の材料の例は、フロント１３０の材料の例と同じである。なお、使用者が、検出部１４２の位置を認識し易くする観点から、筐体１４１の一部の材質と、筐体１４１の他の部分の材質とは、互いに異なってもよい。
【０２５０】
検出部１４２は、例えば、静電容量方式の検出パッドを有する。検出パッドとしては、タッチセンサとして使用されうる公知の検出パッドを使用できる。検出部１４２は、筐体１４１の、検出部１４２に対応する位置に対象物（使用者の指など）が接触したときに、当該接触によって生じる静電容量の変化を検出する。
【０２５１】
制御部１５０は、配線１８０を介して、検出部１４２の検出パッド、レンズ１１０の電極（第１透明導電層１１４、第１補助電極１１７、第２透明導電層１１６、および第２補助電極１１９）に電気的に接続される。
【０２５２】
制御部１５０は、第１透明導電層１１４と第２透明導電層１１６との間の電圧を制御して、レンズ１１０の第１領域１１０１（後述）の光学特性を制御する。より具体的には、制御部１５０は、検出部１４２が対象物の接触を検出したときに、一対のレンズ１１０の所定の領域に電圧を印加するか、またはその電圧の印加を停止して、第１領域１１０１の光学特性（本実施形態では、焦点距離）を切替える（図２０参照）。
【０２５３】
制御部１５０は、例えば、検出パッドの駆動、および、検出パッドにおける静電容量の変化の検出を行う制御回路を有する。また、制御部１５０は、レンズ１１０の第１透明導電層１１４と第２透明導電層１１６との間（本実施形態では、液晶層１１５）への電圧の印加を制御する制御回路も有する。
【０２５４】
制御部１５０は、例えば、検出パッドにおける静電容量の変化についての検出結果を受信しうるように、検出パッドに接続された状態で、検出部１４２に実装される。
【０２５５】
電源１６０は、検出部１４２および制御部１５０に電力を供給する（図２０参照）。本実施形態では、電源１６０は、テンプル１４０の他端部（後端部）に着脱可能に保持される充電式のバッテリーパックである。電源１６０の例には、ニッケル水素充電池が含まれる。
【０２５６】
（レンズの構成）
図２１は、レンズ１１０の構成の一例を模式的に示す図であり、図１９のＣ−Ｃ線におけるレンズ１１０の構成を模式的に示す分解断面図である。
【０２５７】
図２１に示すように、レンズ１１０は、第１透明基板１１１と、第１透明基板１１１上に配置されている第２透明基板１１２と、中間層１１３とを有する。中間層１１３は、第１透明基板１１１と第２透明基板１１２との間に配置される。詳細については後述するが、中間層１１３には、情報を含むマークＭが形成されている。
【０２５８】
レンズ１１０は、電圧によりその焦点距離（度数）を切替え可能な第１領域（電気活性領域）１１０１、および、第１領域１１０１以外の領域に配置される第２領域１１０２を有する。レンズ１１０は、球面レンズであってもよいし、非球面レンズであってもよい。レンズ１１０の形状は、所期の光学パワーに応じて適宜調整されうる。
【０２５９】
第１領域１１０１の形状、大きさおよび位置は、レンズ１１０の大きさやレンズ１１０の用途などに応じて適宜設計されうる。レンズ１１０の用途の例には、遠近両用レンズ、中近両用レンズおよび近々両用レンズが含まれる。また、第１領域１１０１は、図１９に示すように、レンズ１１０を正面視したときに、レンズ１１０の中央部より下側に配置される。
【０２６０】
第１領域１１０１は、第１透明基板１１１、第１透明導電層１１４、液晶層１１５、第２透明導電層１１６、および第２透明基板１１２を有する。第１領域１１０１における中間層１１３は、第１透明導電層１１４、液晶層１１５、および第２透明導電層１１６を有する。
【０２６１】
第２領域１１０２は、第１透明基板１１１、第１補助電極１１７、第１透明導電層１１４、接着層１１８、第２透明導電層１１６、第２補助電極１１９、および第２透明基板１１２を有する。
【０２６２】
第２領域１１０２における中間層１１３は、第１補助電極１１７、第１透明導電層１１４、接着層１１８、第２透明導電層１１６、および第２補助電極１１９を有する。本実施形態では、マークＭは、第２領域１１０２における第２透明導電層１１６に形成されている。
【０２６３】
レンズ１１０の各構成要素は、可視光に対して透光性を有する。
【０２６４】
第１透明基板１１１は、電子メガネ１００において、レンズ１１０の後方側（使用者側）に配置される。第１透明基板１１１は、電子メガネ１００の前方側に向かって凸状となるように湾曲する。第１透明基板１１１の曲率および形状は、所期の光学パワーに応じて適宜調整されうる。
【０２６５】
第１領域１１０１の大きさおよび平面視形状は、人間の視野の広さに応じて適宜調整されうる。たとえば、第１領域１１０１は、上下方向における長さと比較して左右方向における長さが、より長くなるように形成されることが好ましい。
【０２６６】
本実施形態では、第１領域１１０１の平面視形状は、楕円形状である。なお、本明細書中、第１領域１１０１の平面視形状とは、電子メガネ１００の前方側において、レンズ１１０に入射する光の光軸上に位置する点から第１領域１１０１をみたときの形状を意味する。
【０２６７】
第１領域１１０１には、第１透明基板１１１の一方の面（前方側の面）において、中央部分に配置される球冠状の凸部１１０３と、凸部１１０３の外側に配置される複数の円環状の凸条１１０４とが形成される。
【０２６８】
複数の凸条１１０４は、同心円状に配置される。本明細書中、「外側」とは、レンズ１１０の使用状態（レンズ１１０が、電子メガネ１００に組み込まれて使用されている状態）において、電子メガネ１００の前方側からレンズ１１０に入射する光の光軸に直交する方向に沿って、第１領域の中心（凸部１１０３の中心でもある。）から、より離れた位置を意味する。
【０２６９】
凸部１１０３および凸条１１０４の形状は、電子メガネ１００の前方から入射した光を回折するときの、所期の光学パワーに応じて適宜調整されうる。凸部１１０３および凸条１１０４の形状の例には、フレネルレンズ形状が含まれる。凸部１１０３および凸条１１０４の一部がフレネルレンズ形状であってもよいし、凸部１１０３および凸条１１０４の全部がフレネルレンズ形状であってもよい。
【０２７０】
第１透明基板１１１の材料は、透光性を有していれば特に限定されない。たとえば、第１透明基板１１１の材料としては、レンズの材料として使用されうる公知の材料が使用されうる。
【０２７１】
たとえば、第１透明基板１１１の材料の例には、ガラスおよび樹脂が含まれる。当該樹脂の例には、ポリメチルメタクリレート、ポリカーボネート、ポリジエチレングリコールビスアリルカーボネートおよびポリスチレンが含まれる。
【０２７２】
第１透明導電層１１４および第２透明導電層１１６は、透光性を有する一対の透明導電層である。第１領域１１０１における、第１透明導電層１１４および第２透明導電層１１６は、第１透明導電層１１４と第２透明導電層１１６との間（本実施形態では、液晶層１１５）に電圧を印加するための一対の透明電極である。
【０２７３】
第１透明導電層１１４は、中間層１１３において第１透明基板１１１側に配置される。本実施形態では、第１透明導電層１１４は、第１透明基板１１１の、第２透明基板１１２側の面に配置される。
【０２７４】
また、第２透明導電層１１６は、中間層１１３において第２透明基板１１２側に配置される。本実施形態では、第２透明導電層１１６は、第２透明基板１１２の、第１透明基板１１１側の面に配置される。
【０２７５】
第１透明導電層１１４および第２透明導電層１１６は、少なくとも液晶層１１５に電圧を印加しうる範囲（第１領域１１０１）に亘って配置されていればよい。したがって、第１透明導電層１１４および第２透明導電層１１６は、第２領域１１０２に配置されもよいし、配置されなくてもよい。
【０２７６】
第１透明導電層１１４および第２透明導電層１１６を外観上目立ちにくくするとともに、レンズ１１０の製造コストを抑制する観点からは、第１透明導電層１１４および第２透明導電層１１６は、第１領域１１０１および第２領域１１０２の略全体に亘って配置されていることが好ましい。
【０２７７】
本実施形態では、第１透明導電層１１４および第２透明導電層１１６は、第１領域１１０１および第２領域１１０２の略全体に亘って配置される。
【０２７８】
図２２Ａ、図２２Ｂは、レンズの一部の構成の一例を示す組立図である。図２２Ａは、第２透明基板１１２側からレンズ１１０をみた場合の、第１透明基板１１１、第１透明導電層１１４、および第１補助電極１１７の組立図である。一方、図２２Ｂは、第１透明基板１１１側からレンズ１１０をみた場合の、第２透明基板１１２、第２透明導電層１１６、および第２補助電極１１９の組立図である。
【０２７９】
中間層１１３における、第１透明導電層１１４および第２透明導電層１１６の電気的短絡の可能性を低減させる観点からは、第１透明導電層１１４および第２透明導電層１１６の、液晶層１１５への電圧の印加に必要な部分のみを電極として用いることが好ましい。
【０２８０】
このような観点から、本実施形態では、第１透明導電層１１４は、絶縁用の第１スリット１１４１および第２スリット１１４２を有する（図２２Ａの点線参照）。
【０２８１】
より具体的には、第１スリット１１４１は、第１領域１１０１および第２領域１１０２における第１補助電極１１７が配置される部分を含む領域と、それ以外の領域とを互いに絶縁するように、第１透明導電層１１４に形成される。
【０２８２】
また、第２スリット１１４２は、第２領域１１０２における第２補助電極１１９に対応する部分を含む領域と、それ以外の領域とを互いに絶縁するように、第１透明導電層１１４に形成される。
【０２８３】
また、本実施形態では、第２透明導電層１１６は、絶縁用の第３スリット１１６１および第４スリット１１６２を有する（図２２Ｂの点線参照）。
【０２８４】
より具体的には、第３スリット１１６１は、第１領域１１０１および第２領域１１０２における第２補助電極１１９が配置される部分を含む領域と、それ以外の領域とを互いに絶縁するように、第２透明導電層１１６に形成される。
【０２８５】
また、第４スリット１１６２は、第２領域１１０２における第１補助電極１１７に対応する部分を含む領域と、それ以外の領域とを互いに絶縁するように、第２透明導電層１１６に形成される。
【０２８６】
第１透明導電層１１４および第２透明導電層１１６の厚みは、透明電極として機能することができれば特に限定されない。たとえば、第１透明導電層１１４および第２透明導電層１１６の厚みは、５〜５０ｎｍである。
【０２８７】
第１透明導電層１１４および第２透明導電層１１６の厚みは、これらの材料に応じて適宜調整されうる。詳細については後述するが、本実施形態では、マークＭは、第２透明導電層１１６への印刷または刻印により形成される。
【０２８８】
ここで、刻印とは、第２透明導電層１１６の一部を切断または切削することにより、文字、図形、記号、バーコードおよび商標のいずれか、またはこれらの組合せを形成することである。
【０２８９】
第１透明導電層１１４および第２透明導電層１１６の材料は、所期の透光性および導電性を有していれば特に限定されない。第１透明導電層１１４および第２透明導電層１１６の材料の例には、酸化インジウムスズ（ＩＴＯ）および酸化亜鉛（ＺｎＯ）が含まれる。第１透明導電層１１４の材料、および第２透明導電層１１６の材料は、互いに同じであってもよいし、互いに異なってもよい。
【０２９０】
液晶層１１５は、第１透明基板１１１と第２透明基板１１２との間に配置される。液晶層１１５は、第１透明基板１１１と第２透明基板１１２と間に直接挟まれてもよいし、第１透明基板１１１および液晶層１１５の間、ならびに液晶層１１５および第２透明基板１１２の間に他の構成要素が配置されてもよい。
【０２９１】
本実施形態では、液晶層１１５は、第１領域１１０１に対応する領域において、第１透明導電層１１４と第２透明導電層１１６との間に配置される。液晶層１１５の形状は、第１領域１１０１の、凸部１１０３および複数の凸条１１０４に応じた形状である。
【０２９２】
液晶層１１５は、電圧の印加の有無に応じて、その屈折率が変化するように構成される。詳細については後述するが、例えば、液晶層１１５の屈折率は、液晶層１１５に電圧が印加されていない状態において、第１透明基板１１１の屈折率および第２透明基板１１２の屈折率とほぼ同じとなる。
【０２９３】
一方、液晶層１１５の屈折率は、液晶層１１５に電圧が印加されている状態において、第１透明基板１１１の屈折率および第２透明基板１１２の屈折率と異なるように調整されうる。
【０２９４】
液晶層１１５は、液晶材料を含有する。電圧が印加されているときの当該液晶材料の配向状態と、電圧が印加されていないときの当該液晶材料の配向状態とは、互いに異なる。液晶材料は、第１透明基板１１１の屈折率および第２透明基板１１２の屈折率に応じて、適宜選択されうる。液晶材料の例には、コレステリック液晶およびネマチック液晶が含まれる。
【０２９５】
第２透明基板１１２は、第１透明導電層１１４、液晶層１１５、および第２透明導電層１１６を挟むように第１透明基板１１１上に配置される。第２透明基板１１５は、電子メガネ１００において、レンズ１１０の前方側に配置される。
【０２９６】
第２透明基板１１２も、電子メガネ１００の前方側に向かって凸状となるように湾曲する。第２透明基板１１２の曲率は、第１透明基板１１１の曲率に対応する。第２透明基板１１２の材料の例は、第１透明基板１１１の材料の例と同じである。
【０２９７】
接着層１１８は、第２領域１１０２において、第１透明基板１１１と第２透明基板１１２との間に配置されており、第１透明基板１１１と第２透明基板１１２とを接着する。
【０２９８】
第１透明導電層１１４および第２透明導電層１１６が、第２領域１１０２にも配置される場合には、接着層１１８は、第１透明導電層１１４と第２透明導電層１１６との間に配置される。また、接着層１１８は、液晶層１１５を構成する液晶材料を封止する機能も有する。
【０２９９】
接着層１１８は、接着剤の硬化物により構成される。当該接着剤の材料は、所期の透光性を有し、かつ第１透明基板１１１および第２透明基板１１２を適切に接着できれば特に限定されない。レンズ１１０の光学パワーを調整する観点から、所期の屈折率を有する接着剤が選択される。
【０３００】
第１補助電極１１７は、レンズ１１０を正面視したときに、レンズ１１０の外縁から内側に向かって延在しており、かつ第１透明導電層１１４に電気的に接続される（図２２Ａ参照）。本実施形態では、第１補助電極１１７は、第２領域１１０２において、第１透明基板１１１および第１透明導電層１１４の間に配置される。
【０３０１】
第１補助電極１１７は、ある程度の厚みを有する透明電極である。外部回路（本実施形態では、制御部１５０）に接続された配線１８０（図１９参照）と、第１透明導電層１１４とは、レンズ１１０の外縁で互いに接触する。
【０３０２】
配線１８０および第１透明導電層１１４の接触面積と比較して、配線１８０および第１補助電極１１７の接触面積と、配線１８０および第１透明導電層１１４の接触面積との合計の方がより大きい。このため、外部回路と第１透明導電層１１４とが、より確実に、電気的に接続されうる。
【０３０３】
第１補助電極１１７の位置、厚みおよび形状は、上記機能を発揮することができれば特に限定されない。配線１８０との接触の観点から、第１補助電極１１７は、レンズ１１０の外縁部において露出していればよい。本実施形態では、第１補助電極１１７は、レンズ１１０を正面視したときに、レンズ１１０の上縁からレンズ１１０の中央部に向けて延在する。第１補助電極１１７の平面視形状は、特に限定されず、例えば、直線形状である。第１補助電極１１７の厚みは、例えば、０．１〜５０μｍである。
【０３０４】
第２補助電極１１９は、レンズ１１０を正面視したときに、レンズ１１０の外縁から内側に向かって延在しており、かつ第２透明導電層１１６に電気的に接続される。本実施形態では、第２補助電極１１９は、第２領域１１０２において、第２透明基板１１２および第２透明導電層１１６の間に配置される。
【０３０５】
第２補助電極１１９も、第１補助電極１１７と同様の観点から、ある程度の厚みを有する透明電極である。第２補助電極１１９の位置、厚みおよび形状については、第１補助電極１１７の位置、厚みおよび形状と同様である。
【０３０６】
第１補助電極１１７および第２補助電極１１９の位置関係は、上記機能を発揮することができれば特に限定されない。たとえば、第１補助電極１１７および第２補助電極１１９は、レンズ１１０の一方の外縁から内側に向けて延在してもよいし、レンズ１１０の、反対に位置している両方の外縁からそれぞれ内側に向けて延在してもよい。
【０３０７】
本実施形態では、第１補助電極１１７および第２補助電極１１９は、レンズ１１０を正面視したときに、互いに隣り合うように配置されており、レンズ１１０の一方の外縁から内側に向けて延在する。本明細書中、第１補助電極１１７および第２補助電極１１９が互いに「隣り合う」とは、第１補助電極１１７および第２補助電極１１９の間隔（最短距離）が、２〜４８ｍｍであることを意味する。
【０３０８】
中間層１１３は、必要に応じて、透光性を有する他の構成要素をさらに有してもよい。当該他の構成要素の例には、絶縁層および配向膜が含まれる。
【０３０９】
絶縁層は、第１透明導電層１１４および第２透明導電層１１６の間の液晶層１１５を介した電気的短絡を防止する。たとえば、絶縁層は、第１透明導電層１１４および液晶層１１５の間と、液晶層１１５および第２透明導電層１１６の間とにそれぞれ配置される。絶縁層の材料としては、透光性を有する絶縁層として使用されうる公知の材料が使用されうる。絶縁層の材料の例には、二酸化ケイ素が含まれる。
【０３１０】
配向膜は、液晶層１１５における液晶材料の配向状態を制御する。たとえば、配向膜は、第１透明導電層１１４と液晶層１１５との間、および、液晶層１１５と第２透明導電層１１６との間に、それぞれ配置される。配向膜の材料としては、液晶材料の配向膜として使用されうる公知の材料が使用されうる。配向膜の材料の例には、ポリイミドが含まれる。
【０３１１】
マークＭは、中間層１１３に形成されており、すなわち中間層１１３を構成する少なくとも１つの層に形成されている。マークＭは、当該層に所定のパターンで形成された貫通孔であってもよいし、当該層上に所定のパターンで配置された蛍光染料であってもよい。
【０３１２】
マークＭは、上記層への刻印または印刷により形成されうる。本実施形態では、マークＭは、第２透明導電層１１６の一部に所定のパターンで形成された貫通孔である。マークＭは、中間層１１３における透明な層に形成された当該貫通孔により構成されるため、有色のインクなどで形成されるマークと比較して、目立ちにくい。
【０３１３】
詳細については後述するが、レンズ１１０の製造時間の増大を抑制する観点から、マークＭは、第１透明導電層１１４および第２透明導電層１１６の一方または両方に形成されることが好ましい。
【０３１４】
マークＭは、レンズ１１０に関する種々の情報を有する。マークＭの例には、文字、図形、記号、バーコードおよび商標が含まれる。また、当該情報の例には、レンズ１１０の製造に関する情報、レンズ１１０の材料に関する情報、レンズ１１０の性能に関する情報、レンズ１１０の構造上の特徴に関する情報、レンズ１１０の販売時に利用される情報、およびレンズ１１０の輸送に関する情報が含まれる。
【０３１５】
マークＭは、上述の情報の少なくとも１つを含む。レンズ１１０の製造に関する情報の例には、製造番号、製造日、製造者による製造証明、および製造会社により付与されるモデル名が含まれる。
【０３１６】
レンズ１１０の材料に関する情報の例には、レンズ１１０の材料や原料などのトレーサビリティに関する情報が含まれる。レンズ１１０の特性に関する情報の例には、レンズ１１０の度数や屈折率などの光学特性に関する情報が含まれる。当該レンズ１１０の特性の例には、電極間の距離、遠視用度数および近視用度数が含まれる。
【０３１７】
マークＭの位置は、特に限定されないが、電子メガネ１００を使用中の使用者から見えにくい位置であることが好ましい。使用者の視認性の観点からは、マークＭは、レンズ１１０を正面視したときに、レンズ１１０の重心を通る水平線よりも下側に配置されることが好ましい。
【０３１８】
また、マークＭは、レンズ１１０を正面視したときに、レンズ１１０の重心を通る垂直線よりも、電子メガネ１００の左右方向における外側に配置されることが好ましい。本実施形態では、電子メガネ１００を正面視したときに、電子メガネ１００の左右方向における外側の領域において第１領域１１０１と隣り合うように配置される。
【０３１９】
このように、マークＭが、レンズ１１０を正面視したときに、レンズ１１０の重心を通る水平線よりも下側であり、かつレンズ１１０の重心を通る垂直線よりも電子メガネ１００の左右方向における外側に配置されることは、電子メガネ１００を使用中の使用者からの見えにくさの観点から好ましい。
【０３２０】
また、上記観点からは、マークＭは、レンズ１１０の厚さ方向において、中間層１１３の中点より、電子メガネ１００（レンズ１１０）の使用者の反対側（電子メガネ１００の前方側）に配置されることが好ましい。
【０３２１】
すなわち、マークＭは、中間層１１３において、液晶層１１５よりも第２透明基板１１２側に位置している層に配置されることが好ましい。たとえば、マークＭは、第２透明導電層１１６に形成されることが好ましい。本実施形態では、マークＭは、第２透明導電層１１６に形成されている。
【０３２２】
［レンズブランクの構成］
レンズ１１０は、ブランク部１７０と一体として構成されてもよい。図２３は、レンズブランク２０００の構成の一例を示す図である。図２３は、レンズブランク２０００の正面図である。なお、図２３において、ｄＭは、マークＭおよび第１領域１１０１との間隔（最短距離）を示している。
【０３２３】
図２３に示すように、レンズブランク２０００は、レンズ１１０、および、ブランク部１７０を有する。レンズ１１０とブランク部１７０とは、一体として形成される。レンズブランク２０００の前後方向からの平面視（図２３に示す状態）における外形形状は、特に限定されず、例えば、円形状である。
【０３２４】
ブランク部１７０は、レンズ１１０を取り囲むように、レンズブランク２０００の外側に配置される。ブランク部１７０の構成は、例えば、レンズ１１０における第２領域１１０２の構成と同じである。
【０３２５】
レンズブランク２０００を平面視したときに、第１補助電極１１７および第２補助電極１１９は、レンズブランク２０００の外縁から内側に向けてそれぞれ延在する。すなわち、レンズブランク２０００を平面視したときに、第１補助電極１１７および第２補助電極１１９は、ブランク部１７０の外縁から、ブランク部１７０の内縁を横断し、かつレンズ１１０の内側に向けて延在する。
【０３２６】
また、特に図示しないが、ブランク部１７０において、第１補助電極１１７および第２補助電極１１９が延在する範囲に応じて、第１スリット１１４１、第２スリット１１４２、第３スリット１１６１、および第４スリット１１６２も、レンズブランク２０００の外縁から内側に向けて延在する。
【０３２７】
［レンズの製造方法］
レンズ１１０は、例えば、下記の製造方法により製造されうる。まず、レンズブランク２０００を製造する。具体的には、第１透明基板１１１および第２透明基板１１２を準備する。第１透明基板１１１および第２透明基板１１２は、例えば、射出成形により製造されうる。
【０３２８】
次いで、第１透明基板１１１上の所定の位置に第１補助電極１１７を形成し、第２透明基板１１２上の所定の位置に第２補助電極１１９を形成する。第１透明基板１１１上に第１補助電極１１７を形成する方法と、第２透明基板１１２上に第２補助電極１１９を形成する方法の例には、真空蒸着法およびスパッタリングが含まれる。
【０３２９】
次いで、第１補助電極１１７が形成された第１透明基板１１１上に第１透明導電層１１４を形成し、第２補助電極１１９が形成された第２透明基板１１２上に第２透明導電層１１６を形成する。第１透明基板１１１上に第１透明導電層１１４を形成する方法と、第２透明基板１１２上に第２透明導電層１１６を形成する方法の例には、真空蒸着法およびスパッタリングが含まれる。
【０３３０】
第１透明導電層１１４は、第１透明基板１１１の表面の全部に形成されてもよいし、一部に形成されてもよい。しかしながら、第１透明導電層１１４を第１透明基板１１１の表面の一部にのみ形成するためには、マスクなどの他の部品の準備や設置が必要となる場合がある。
【０３３１】
したがって、レンズ１１０（レンズブランク２０００）の製造コストおよび製造時間の増大を抑制する観点から、第１透明導電層１１４は、第１透明基板１１１の表面の全部に形成されることが好ましい。
【０３３２】
前述のとおり、第１透明導電層１１４を外観上目立ちにくくする観点からも、第１透明導電層１１４は、第１透明基板１１１の表面の全部に形成されていることが好ましい。第２透明導電層１１６についても同様である。
【０３３３】
次いで、中間層１１３にマークＭを形成する。本実施形態では、マークＭは、第２透明導電層１１６に形成される。
【０３３４】
マークＭを形成する方法は、中間層１１３にマークＭを適切に形成することができれば特に限定されない。マークＭを形成する方法の例には、レーザマーキング法と、けがきマーキング法とが含まれる。
【０３３５】
マークＭの鮮明さ、および製造コストの観点からは、マークＭを形成する方法は、レーザマーキング法であることが好ましい。たとえば、第１透明導電層１１４および第２透明導電層１１６を構成する導電材料が、ＩＴＯを含有する場合には、マークＭは、ＩＴＯの吸収波長を有する、ＹＡＧレーザまたはＹＶＯ４レーザによりＩＴＯ導電層に刻印されうる。
【０３３６】
なお、マークＭは、下記の方法により形成されてもよい。たとえば、あらかじめ所定のパターンでインクを第２透明基板１１２上に配置しておき、第２透明導電層１１６を形成した後に、当該インクとともに当該インク上に配置された第２透明導電層１１６を除去することによって、マークＭを形成してもよい。
【０３３７】
第１透明導電層１１４が第１透明基板１１１の表面の全部に亘って配置されている場合には、第１透明導電層１１４に第１スリット１１４１および第２スリット１１４２を形成することが好ましい。また、第２透明導電層１１６が第２透明基板１１２の表面の全部に亘って配置されている場合には、第２透明導電層１１６に第３スリット１１６１および第４スリット１１６２を形成することが好ましい。
【０３３８】
第１透明導電層１１４に第１スリット１１４１および第２スリット１１４２を形成する方法の例と、かつ第２透明導電層１１６に第３スリット１１６１および第４スリット１１６２を形成する方法の例とは、マークＭを形成する方法の例と同じである。
【０３３９】
マークＭが、第１透明導電層１１４および第２透明導電層１１６の一方または両方に形成すれば、第１スリット１１４１、第２スリット１１４２、第３スリット１１６１、および第４スリット１１６２の形成と同じタイミングでマークＭを形成できるため、レンズ１１０（レンズブランク２０００）の製造時間の増大を抑制する観点から好ましい。また、同様の観点から、マークＭは、第１補助電極１１７および第２補助電極１１９の一方または両方に形成されていることが好ましい。
【０３４０】
次いで、第１透明導電層１１４が形成された第１透明基板１１１の第１領域１１０１に相当する部分に液晶材料を提供するとともに、第１透明基板１１１の、第２領域１１０２に相当する部分に接着剤を提供する。液晶材料および接着剤が第１透明基板１１１上に配置されている状態で、第２透明導電層１１６が形成された第２透明基板１１２を、第１透明基板１１１上に配置する。次いで、接着剤を硬化させることによってレンズブランク２０００を製造できる。
【０３４１】
最後に、レンズブランク２０００を、所期の形状および大きさに加工することによって、所期の外形および大きさを有するレンズ１１０が得られる。このとき、レンズブランク２０００は、第１補助電極１１７および第２補助電極１１９が、レンズ１１０に含まれるように加工される。本実施形態では、図２３に示される一点鎖線に沿ってレンズブランク２０００を切断することによって、レンズ１１０が得られる。
【０３４２】
なお、本実施形態においても、前述の実施形態１〜３と同様に、レンズ１１０の外周部において、第１補助電極１１７および第２補助電極１１９が露出する部分を含む第１領域（具体的には、前述した実施形態１の第１係止部７４）の形状と、当該第１領域以外の部分である第２領域（具体的には、前述した実施形態１の第２係止部７６）の形状とを、適宜異ならせてもよい。このような構成については、前述の各実施形態の構成を適宜適用できる。
【０３４３】
以上のように、本実施形態に係るレンズブランク２０００およびレンズ１１０は、製造されうる。前述のとおり、レンズ１１０は、レンズブランク２０００を、所期の形状および大きさに加工することによって得られる。このため、マークＭは、レンズブランク２０００において、レンズ１１０として切り出される領域内に配置されている必要がある。
【０３４４】
レンズ１１０は、第１領域１１０１、第１補助電極１１７の先端部、および第２補助電極１１９の先端部を含むように、レンズブランク２０００から切り出される。したがって、レンズ１１０に配置されるべきマークＭは、第１領域１１０１、第１補助電極１１７の先端部の近傍、および第２補助電極１１９の先端部の近傍に配置されていることが好ましい。
【０３４５】
たとえば、本実施形態では、マークＭの少なくとも一部は、レンズ１１０を正面視したときに、第１領域１１０１からの距離ｄＭが２４ｍｍ以下の領域に配置されていることが好ましい。
【０３４６】
（変形例）
一方で、マークＭの位置は、前述の位置に限定されない。図２４Ａ〜２４Ｄは、本実施形態の変形例１〜４に係るレンズブランク２０００ａ〜２０００ｄの構成の一例を示す図である。
【０３４７】
図２４Ａは、本実施形態の変形例１に係るレンズブランク２０００ａの正面図である。図２４Ｂは、本実施形態の変形例２に係るレンズブランク２０００ｂの正面図である。図２４Ｃは、本実施形態の変形例３に係るレンズブランク２０００ｃの正面図である。図２４Ｄは、本実施形態の変形例４に係るレンズブランク２０００ｄの正面図である。レンズブランク２０００ａ〜２０００ｄは、マークＭａ〜Ｍｄの位置がマークＭの位置と異なる点のみレンズブランク２０００と異なる。
【０３４８】
前述のとおり、レンズ１１０に配置されるべきマークは、レンズブランク２０００からレンズ１１０として切り出される位置に配置されていることが好ましい。
【０３４９】
図２４Ａに示されるように、変形例１に係るマークＭａは、レンズ１１０ａ（レンズブランク２０００ａ）を正面視したときに、第１補助電極１１７の先端部または第２補助電極１１９の先端部の近傍に配置されていることが好ましい。
【０３５０】
図２４Ａに示す変形例１では、マークＭａは、第２補助電極１１９の先端部の近傍に配置される。変形例１において、マークＭａの少なくとも一部は、レンズ１１０ａを正面視したときに、第１補助電極１１７の先端部、および第２補助電極１１９の先端部の一方または両方からの距離ｄＭａが１９ｍｍ以下の領域に配置されていることが好ましい。
【０３５１】
図２４Ｂに示すように、変形例２に係るマークＭｂの少なくとも一部は、レンズ１１０ｂ（レンズブランク２０００ｂ）を正面視したときに、第１補助電極１１７および第２補助電極１１９の間に配置されていることが好ましい。
【０３５２】
図２４Ｃに示すように、変形例３に係るマークＭｃの少なくとも一部は、レンズ１１０ｃ（レンズブランク２０００ｃ）を正面視したときに、第１補助電極１１７および第２補助電極１１９の一方または両方と重なるように配置されていることが好ましい。変形例３では、マークＭｃは、レンズ１１０ｃを正面視したときに、第２補助電極１１９と重なるように配置される。
【０３５３】
上述の変形例２、３において、マークＭｂ、Ｍｃの少なくとも一部は、第１補助電極１１７の先端部および第２補助電極１１９の先端部を結ぶ仮想線（図２４Ｂおよび図２４Ｃの二点鎖線参照）からの距離ｄＭｂ、ｄＭｃが１２ｍｍ以下の領域に配置されていることが好ましい。
【０３５４】
図２４Ｄに示すように、変形例４に係るマークＭｄは、ブランク部１７０ｄに配置されていてもよい。ブランク部１７０ｄに配置されるべきマークＭｄの位置は、レンズブランク２０００ｄにおいて、レンズ１１０ｄとして切り出される領域以外の領域であれば特に限定されない。変形例４では、マークＭｄは、ブランク部１７０ｄにおいて、第１補助電極１１７および第２補助電極１１９の間に配置される。
【０３５５】
［電子メガネの動作］
次いで、電子メガネ１００の動作の一例について説明する。まず、電子メガネ１００の液晶層１１５に電圧が印加されていない状態（オフ状態）について説明する。
【０３５６】
オフ状態では、レンズ１１０の第１領域１１０１において、液晶層１１５の屈折率と、第１透明基板１１１および第２透明基板１１２の屈折率とが、ほぼ同じとなる。このため、液晶層１１５に起因するレンズ効果は生じない。したがって、レンズ１１０において、第１領域１１０１の焦点距離（度数）と、第２領域１１０２の焦点距離（度数）とは、互いにほぼ同じとなる。
【０３５７】
筐体１４１の、検出部１４２への対応部分が、導電体である対象物（例えば使用者の指）により接触されると、当該接触に基づく静電容量の変化が、検出部１４２の検出パッドによって検出される。この接触の検出結果は、制御部１５０に送信される。
【０３５８】
制御部１５０は、オフ状態において対象物の接触を検知すると、レンズ１１０の液晶層１１５に電圧を印加する。これにより、液晶層１１５における液晶材料の配向が変化して、液晶層１１５の屈折率が変化する（オン状態）。
【０３５９】
オン状態では、液晶層１１５の屈折率と、第１透明基板１１１および第２透明基板１１２の屈折率とが、互いに異なる。このため、第１領域１１０１において液晶層１１５に起因するレンズ効果が生じる。したがって、第１領域１１０１の焦点距離（度数）を変えられる。
【０３６０】
オン状態において、筐体１４１の、検出部１４２への対応部分が対象物により接触されると、上記と同様に、接触の検出結果が制御部１５０に送信される。制御部１５０は、オン状態において対象物の接触を検知すると、液晶層１１５に対する電圧の印加を停止する。これにより、液晶層１１５における液晶材料の配向が、電圧印可前の状態に戻って、液晶層１１５の屈折率も電圧印可前の状態に戻る（オフ状態）。
【０３６１】
以上のように、本実施形態に係る電子メガネ１００では、対象物の接触を検知して、レンズ１１０の第１領域１１０１の焦点距離を切替えることができる。
【０３６２】
（効果）
本実施形態に係る電子メガネ１００のレンズ１１０において、第１透明基板１１１および第２透明基板１１２の間に配置されている中間層１１３には、情報を含むマークＭが形成されている。したがって、マークがその外表面に形成されている従来のレンズと比較して、本実施形態に係るレンズ１１０では、マークＭが、消失したり、改ざんされたりしにくい。
【０３６３】
また、マークＭは、レンズ１１０の製造工程の途中で、中間層１１３となるべき層に形成されうる。このため、レンズ１１０の製造後にマークＭを形成する場合と比較して、マークＭを適切に形成し損なったとしても、レンズ１１０の部品および材料のロスを最小限に抑制できる。たとえば、マークＭを形成する工程が、液晶層１１５を配置する工程の前であれば、マークＭを適切に形成し損なったとしても、液晶材料や接着剤などの材料のロスを抑制できる。
【０３６４】
なお、上記実施形態では、１つのマークＭが、レンズ１１０に形成されている場合について説明したが、本発明に係るレンズは、この態様に限定されない。たとえば、複数のマークが、ブランク部１７０およびレンズ１１０の一方または両方に配置されてもよい。
【０３６５】
また、上記実施形態では、検出部１４２を有する一対のテンプル１４０を有する電子メガネについて説明したが、本発明に係るアイウェアはこの態様に限定されない。たとえば、一方のテンプルは、筐体のみにより構成されてもよい。
【０３６６】
また、上記実施形態では、電気活性領域として、電気的制御によって、その焦点距離が変化しうる第１領域１１０１を有するレンズ１１０について説明したが、本発明に係るレンズの電気活性領域は、この態様に限定されない。
【０３６７】
たとえば、レンズは、電気活性領域として、電気的制御によって、光の透過率を変化されうる領域を有してもよい。この場合、中間層は、エレクトロクロミック材料やゲストホスト液晶材料などを含有する調光層を有する。当該調光層は、第１領域および第２領域に亘って配置されうる。
【０３６８】
以上のような本実施形態は、上述の構造に限定されるものでなく、その主旨を逸脱しない範囲内において上述の構造以外の構造にも種々変形して適用可能である。また、本実施形態は、技術的に矛盾がない範囲において、他の実施形態と組み合わせて実施できる。
【０３６９】
［本実施形態のまとめ］
上述の実施形態４に係るレンズ、レンズブランク、およびアイウェアには、以下の各態様が含まれる。
【０３７０】
［第１態様］
上述の実施形態４に係るレンズの第１態様は、電気的制御により光学特性が変化する電気活性領域を有するレンズであって、第１透明基板と、第１透明基板上に配置されている第２透明基板と、第１透明基板および第２透明基板の間に配置されており、第１透明基板側に配置されている第１透明導電層、および第２透明基板側に配置されている第２透明導電層を有する中間層と、を有し、中間層には、情報を含むマークが形成されている。
【０３７１】
上記第１態様に係るレンズによれば、マークが、消失したり、改ざんされたりしにくい、アイウェア用のレンズ、ならびに当該レンズを有するレンズブランクおよびアイウェアを提供ができる。
【０３７２】
［第２態様］
第２態様に係るレンズは、上記第１態様に係るレンズであって、電気活性領域の光学特性が、第１透明導電層および第２透明導電層の間に電圧が印加されることにより変化する。
【０３７３】
［第３態様］
第３態様に係るレンズは、上記第１態様または上記第２態様に係るレンズであって、マークが、レンズの製造に関する情報、レンズの材料に関する情報、レンズの性能に関する情報、レンズの構造上の特徴に関する情報、レンズの販売時に利用される情報、およびレンズの輸送に関する情報の少なくとも１つを含む。
【０３７４】
［第４態様］
第４態様に係るレンズは、上記第１態様〜上記第３態様のいずれか一態様に係るレンズであって、マークが、レンズの厚さ方向において、中間層の中点より、レンズの使用者の反対側に配置されている。
【０３７５】
［第５態様］
第５態様に係るレンズは、上記第１態様〜上記第４態様のいずれか一態様に係るレンズであって、中間層が、レンズの外縁から内側に向かって延在しており、かつ第１透明導電層に電気的に接続されている第１補助電極と、レンズの外縁から内側に向かって延在しており、かつ第２透明導電層に電気的に接続されている第２補助電極と、をさらに有する。
【０３７６】
［第６態様］
第６態様に係るレンズは、上記第５態様に係るレンズであって、第１補助電極および第２補助電極は、レンズを正面視したときに、互いに隣り合うように配置されており、マークの少なくとも一部は、レンズを正面視したときに、第１補助電極および第２補助電極の間に配置されている。
【０３７７】
［第７態様］
第７態様に係るレンズは、上記第５態様または上記第６態様に係るレンズであって、マークの少なくとも一部は、第１補助電極の先端部および第２補助電極の先端部を結ぶ仮想線からの距離が１２ｍｍ以下の領域に配置されている。
【０３７８】
［第８態様］
第８態様に係るレンズは、上記第５態様〜上記第７態様のいずれか一態様に係るレンズであって、マークの少なくとも一部が、レンズを正面視したときに、第１補助電極の先端部、および第２補助電極の先端部の一方または両方からの距離が１９ｍｍ以下の領域に配置されている。
【０３７９】
［第９態様］
第９態様に係るレンズは、上記第５態様〜上記第８態様のいずれか一態様に係るレンズであって、マークの少なくとも一部が、レンズを正面視したときに、第１補助電極および第２補助電極の一方または両方と重なるように配置されている。
【０３８０】
［第１０態様］
第１０態様に係るレンズは、上記第１態様〜上記第９態様のいずれか一態様に係るレンズであって、マークの少なくとも一部が、レンズを正面視したときに、焦点距離が変化しうる電気活性領域からの距離が２４ｍｍ以下の領域に配置されている。
【０３８１】
［第１１態様］
第１１態様に係るレンズは、上記第１態様〜上記第１０態様のいずれか一態様に係るレンズであって、レンズが、アイウェア用のレンズであり、マークが、レンズをアイウェア用のフレームに配置し、アイウェアを正面視したときに、アイウェアの左右方向における外側の領域において、焦点距離が変化しうる電気活性領域と隣り合うように配置されている。
【０３８２】
［第１２態様］
第１２態様に係るレンズは、上記第１態様〜上記第１１態様のいずれか一態様に係るレンズであって、マークが、第１透明導電層および第２透明導電層の一方または両方に、印刷または刻印により形成されている。
【０３８３】
［第１３態様］
第１３態様に係るレンズは、上記第９態様に係るレンズであって、マークが、第１補助電極および第２補助電極の一方または両方に、印刷または刻印により形成されている。
【０３８４】
［第１４態様］
第１４態様に係るレンズは、上記第１態様〜上記第１３態様のいずれか一態様に係るレンズであって、第１透明導電層および第２透明導電層を構成している導電材料が、ＩＴＯを含有する。
【０３８５】
［第１５態様］
第１５態様に係るレンズは、上記第１態様〜上記第１４態様のいずれか一態様に係るレンズであって、中間層が、焦点距離が変化しうる電気活性領域に対応する領域において、第１透明基板および第２透明基板の間に配置されている、液晶材料を含有する液晶層をさらに有する。
【０３８６】
［第１６態様］
第１６態様に係るレンズブランクは、レンズと、レンズと一体として形成されているブランク部と、を有し、レンズおよびブランク部は、第１透明基板と、第１透明基板上に配置されている第２透明基板と、第１透明基板および第２透明基板の間に配置されており、第１透明基板側に配置されている第１透明導電層、および第２透明基板側に配置されている第２透明導電層を有する中間層と、をそれぞれ有し、中間層には、情報を含むマークが形成されており、マークは、中間層の、レンズおよびブランク部の一方または両方に対応する位置に配置されている。
【０３８７】
［第１７態様］
第１７態様に係るアイウェアは、上記第１態様〜上記第１５態様のいずれか一態様に係るレンズと、レンズを保持しているフレームと、第１透明導電層および第２透明導電層の間の電圧を制御して、レンズの電気活性領域の光学特性を制御するための制御部と、を有する。
【０３８８】
本出願は、２０１６年１２月２７日出願の日本国出願番号２０１６−２５３５８１号、２０１６年１２月２７日出願の日本国出願番号２０１６−２５３５８２号及び２０１７年２月２８日出願の日本国出願番号２０１７−０３７３１３号に基づく優先権を主張する出願であり、当該出願の明細書、特許請求の範囲及び図面に記載された内容は本出願に援用される。
【産業上の利用可能性】
【０３８９】
本発明のレンズは、アイウェア用のレンズとして好適に利用されうる。
【符号の説明】
【０３９０】
１０、１０ａ、１０ｂ  電子眼鏡（アイウェア）
１２、１２ａ  レンズ
１４、１４ａ  レンズ
１６、１６ａ  フレーム
１８  液晶（電気活性部、焦点距離変更部）
２２、２２ａ  右側リム（レンズ保持部）
２４、２４ａ  左側リム（レンズ保持部）
２００  上部リム要素
２０１  第１側部リム要素
２０２  第２側部リム要素
２６  ブリッジ
３０  右側テンプル（テンプル）
３２  左側テンプル（テンプル）
４２  可撓ケーブル（外部電極）
４８、５０  内部電極
４８Ａ、５０Ａ  電極の下端
６０  回折部（電気活性部、焦点距離変更部）
６８  レンズ本体
７２  導電性ラバー
７４  第１係止部（第１の領域）
７６、７６ａ〜ｆ  第２係止部（第２の領域）
７６Ａ  前側傾斜面
７６Ｂ  後側傾斜面
７８  凸状部（露出部）
８３、８３ａ、８３ｂ  ワイヤ
８４、８４ａ、８４ｂ、８４ｃ、８４ｄ、８４ｅ  ワイヤ係止溝（溝部）
８５ａ、８５ｂ、８５ｃ  凸部
８６  ラバー配置溝（露出部）
８７  ワイヤ係止切欠
ＶＣ１  ブランク本体の図心を通り左右方向に延びる線
ＬＣ２  回折部中心線（電気活性部中心線、焦点距離変更部中心線）
Ｃ３  レンズ本体の図心
ＶＣ３  レンズ本体の図心を通り左右方向に延びる線
ＬＣ３  レンズ本体の図心を通り上下方向に延びる線（中心線）
１００  電子メガネ（アイウェア）
１１０、１１０ａ〜ｄ  レンズ
１１０１  第１領域（電気活性領域）
１１０２  第２領域
１１０３  凸部
１１０４  凸条
１１１  第１透明基板
１１２  第２透明基板
１１３  中間層
１１４  第１透明導電層
１１４１  第１スリット
１１４２  第２スリット
１１５  液晶層
１１６  第２透明導電層
１１６１  第３スリット
１１６２  第４スリット
１１７  第１補助電極
１１８  接着層
１１９  第２補助電極
１２０  フレーム
１３０  フロント
１３１  リム
１３２  ブリッジ
１３３  鼻パッド
１４０  テンプル
１４１  筐体
１４２  検出部
１５０  制御部
１６０  電源
１７０、１７０ｄ  ブランク部
１８０  配線
２０００、２０００ａ〜ｄ  レンズブランク
Ｍ、Ｍａ〜ｄ  マーク
【図１】
2018123195.tif 000003
【図２】
2018123195.tif 000004
【図３】
2018123195.tif 000005
【図４】
2018123195.tif 000006
【図５】
2018123195.tif 000007
【図６】
2018123195.tif 000008
【図７】
2018123195.tif 000009
【図８】
2018123195.tif 000010
【図９】
2018123195.tif 000011
【図１０】
2018123195.tif 000012
【図１１】
2018123195.tif 000013
【図１２Ａ】
2018123195.tif 000014
【図１２Ｂ】
2018123195.tif 000015
【図１２Ｃ】
2018123195.tif 000016
【図１２Ｄ】
2018123195.tif 000017
【図１２Ｅ】
2018123195.tif 000018
【図１３】
2018123195.tif 000019
【図１４】
2018123195.tif 000020
【図１５】
2018123195.tif 000021
【図１６】
2018123195.tif 000022
【図１７】
2018123195.tif 000023
【図１８】
2018123195.tif 000024
【図１９】
2018123195.tif 000025
【図２０】
2018123195.tif 000026
【図２１】
2018123195.tif 000027
【図２２Ａ】
2018123195.tif 000028
【図２２Ｂ】
2018123195.tif 000029
【図２３】
2018123195.tif 000030
【図２４Ａ】
2018123195.tif 000031
【図２４Ｂ】
2018123195.tif 000032
【図２４Ｃ】
2018123195.tif 000033
【図２４Ｄ】
2018123195.tif 000034
【国際調査報告】
2018123195.tif 000035
2018123195.tif 000036
2018123195.tif 000037
2018123195.tif 000038